(57)【要約】【課題】様々なアプローチの営業活動を段階的にかつ体系的に支援管理する営業支援システムを提供する。【解決手段】本発明の営業支援システムは営業活動を区分する活動区分情報を記憶する活動区分記憶部と、活動区分情報と所定の営業活動情報を関連付けた活動計画テンプレートを記憶する活動計画テンプレート記憶部と、活動計画登録要求に基づいて活動区分情報と営業活動情報とを関連付けた営業活動計画情報を生成して記憶する活動計画登録部と、活動実績登録要求に基づいて活動区分情報と活動実績情報とを関連付けた営業活動実績情報を生成して記憶する活動実績登録部とを備える。活動計画登録部は、テンプレート適用要求を受信した場合に、活動区分情報に一致する活動計画テンプレートを営業員端末に表示し、表示された営業活動情報に対する選択情報に対応する営業活動情報と活動区分情報とを関連付けた営業活動計画情報を生成して活動計画記憶部に記憶する。【選択図】図３
2011096209.tif 000002
【特許請求の範囲】
【請求項１】
営業員端末を通じて入力される営業員の営業活動計画と前記営業活動計画に基づく営業活動実績とを記憶し、前記営業員の営業活動をコンピュータにより支援及び管理する営業支援システムであって、
営業案件の発掘から前記発掘された営業案件の受注までの営業活動を少なくとも案件化前段階及び案件化後段階に区分する活動段階を特定する情報を記憶する活動区分記憶部と、
前記活動段階を特定する情報と、前記活動段階に含まれる所定の営業活動情報とを関連付けた活動計画テンプレートを記憶する活動計画テンプレート記憶部と、
前記営業員端末において入力された営業活動情報を含む活動計画登録要求を受信した場合、前記活動計画登録要求に含まれる前記活動段階を特定する情報と前記営業活動情報を識別する活動計画識別子を含む営業活動情報とを関連付けた営業活動計画情報を生成して活動計画記憶部に記憶する活動計画登録部と、
前記営業員端末において入力された前記営業活動計画情報の営業活動情報に対応する活動実績情報を含む活動実績登録要求を受信した場合、前記活動計画識別子が一致する営業活動計画情報の前記活動段階を特定する情報を抽出し、抽出した前記活動段階を特定する情報と前記活動実績情報を識別する活動実績識別子を含む活動実績情報とを関連付けた営業活動実績情報を生成して活動実績記憶部に記憶する活動実績登録部と、を備え、
前記活動計画登録部は、
前記営業員端末において入力された前記活動段階を特定する情報を含むテンプレート適用要求を受信した場合に、前記活動段階を特定する情報に一致する前記活動計画テンプレートを検索し、抽出した前記活動計画テンプレートにおける前記営業活動情報を前記営業員端末に表示する処理を遂行するとともに、前記営業員端末において入力された前記活動計画テンプレートの営業活動情報に対する選択情報を含む活動計画登録要求を受信した場合に、前記選択情報に対応する前記営業活動情報と前記活動段階を特定する情報とを関連付けた営業活動計画情報を生成して前記活動計画記憶部に記憶することを特徴とする営業支援システム。
【請求項２】
前記活動計画テンプレートに関連付けられる複数の営業活動情報であって、前記営業活動情報を識別する識別子別に前記活動段階を特定する情報と関連付けられた営業活動マスタ情報を記憶する営業活動情報記憶部と、
前記営業員端末において入力された前記活動段階を特定する情報を含む前記活動計画テンプレート作成要求を受信した場合に、前記営業活動マスタ情報記憶部から前記活動段階を特定する情報に一致する前記営業活動情報を検索し、抽出した前記営業活動マスタ情報を前記営業員端末に表示する処理を遂行するとともに、前記営業員端末において入力された前記営業活動情報の選択情報を含む活動計画テンプレート登録要求を受信した場合に、前記活動段階を特定する情報と関連付けられた前記活動計画テンプレートを識別するテンプレート識別子を含む活動計画テンプレート情報を生成するとともに、前記選択情報に対応する前記営業活動情報と前記テンプレート識別子とが関連付けられた活動計画テンプレート明細情報を生成して前記活動計画テンプレート記憶部に記憶する活動計画テンプレート登録部と、をさらに備えることを特徴とする請求項１に記載の営業支援システム。
【請求項３】
前記営業員端末において入力された前記活動段階を特定する情報を含む活動計画／活動実績出力要求を受信した場合に、前記活動計画／活動実績出力要求に含まれる前記活動段階を特定する情報と一致する前記営業活動計画情報を検索するとともに、抽出した前記営業活動計画情報の活動計画識別子に一致する前記営業活動実績情報を検索し、前記活動段階を特定する情報毎に、抽出した前記営業活動計画情報及び営業活動実績情報を前記活動計画識別子別に対応させて整列した活動計画／活動実績表を生成する活動計画／活動実績出力部を、さらに備えることを特徴とする請求項１又は２に記載の営業支援システム。
【請求項４】
前記案件化前段階は、前記営業案件の受注に繋がる可能性のある顧客に対して新たな前記営業案件を発掘する顧客営業活動と、顧客を特定せずに新たな営業案件を発掘するマーケット営業活動とを含み、
前記活動区分記憶部は、前記顧客営業活動、前記マーケット営業活動、及び前記顧客営業活動又はマーケット営業活動の結果、掘り起こされた営業案件を受注に繋げる前記案件化後段階の案件営業活動の各活動段階を特定する情報を記憶し、
前記活動計画テンプレート記憶部は、前記顧客営業活動、前記マーケット営業活動、及び前記案件営業活動の各活動段階別の複数の活動計画テンプレートを記憶することを特徴とする請求項１から３のいずれか１つに記載の営業支援システム。
【請求項５】
営業員端末を通じて入力される営業員の営業活動計画を記憶する活動計画記憶部と、
営業員端末を通じて入力される前記営業活動計画に基づく営業活動実績を記憶する活動実績登録部と、
営業案件の発掘から前記発掘された営業案件の受注までの営業活動を少なくとも案件化前段階及び案件化後段階に区分する活動段階を特定する情報を記憶する活動区分記憶部と、
前記活動段階を特定する情報と、前記活動段階に含まれる所定の営業活動情報を関連付けた活動計画テンプレートを記憶する活動計画テンプレート記憶部と、
前記営業員端末に接続された情報処理装置と、を用いて前記営業員の営業活動の支援及び管理処理を遂行する営業支援プログラムであって、前記コンピュータに、
前記営業員端末において入力された営業活動情報を含む活動計画登録要求を受信した場合、前記活動計画登録要求に含まれる前記活動段階を特定する情報と前記営業活動情報を識別する活動計画識別子を含む営業活動情報とを関連付けた営業活動計画情報を生成して前記活動計画記憶部に記憶する機能と、
前記営業員端末において入力された前記営業活動計画情報の営業活動情報に対応する活動実績情報を含む活動実績登録要求を受信した場合、前記活動計画識別子が一致する営業活動計画情報の前記活動段階を特定する情報を抽出し、抽出した前記活動段階を特定する情報と前記活動実績情報を識別する活動実績識別子を含む活動実績情報とを関連付けた営業活動実績情報を生成して前記活動実績記憶部に記憶する機能と、を実現させるとともに、
前記営業活動計画情報を生成して前記活動計画記憶部に記憶する機能は、
前記営業員端末において入力された前記活動段階を特定する情報を含むテンプレート適用要求を受信した場合に、前記活動段階を特定する情報に一致する前記活動計画テンプレートを検索し、抽出した前記活動計画テンプレートにおける前記営業活動情報を前記営業員端末に表示する処理を遂行するとともに、前記営業員端末において入力された前記活動計画テンプレートの営業活動情報に対する選択情報を含む活動計画登録要求を受信した場合に、前記選択情報に対応する前記営業活動情報と前記活動段階を特定する情報とを関連付けた営業活動計画情報を生成して前記活動計画記憶部に記憶することを特徴とする営業支援プログラム。
【発明の詳細な説明】
【技術分野】
【０００１】
本発明は、営業支援システムに関する。
【背景技術】
【０００２】
企業等の営業員が商品やサービスの受注に繋がる可能性のある案件を発掘し、案件の引き合いから受注までの営業活動は、一般的に営業員本人の経験や判断に依存することが多い。従来から営業効率を向上させたり、新人営業員や業績の良くない営業員の営業活動を支援及び管理するシステムが提案されている。
【０００３】
特許文献１に記載の営業活動支援システムは、案件状況に応じて予め策定された行動パターン（営業成績の良い営業員やベテランの営業員の過去の営業活動に基づく行動パターン）から活動計画を自動作成して営業員に提供する。そして、自動作成された活動計画通り営業活動を遂行させることで、新人営業員や業績の良くない営業員に一定の成果を上げさせることを目的としている。
【０００４】
しかしながら、営業活動は様々なアプローチがあり、その営業活動計画は商品やサービス、顧客、案件の内容によって大きく異なる。特に、営業活動は、大きく分けて２つの段階に区分でき、具体的には、営業案件を発掘して案件化するまでの案件化前段階と、案件化された営業案件を受注するまでの案件化後段階とがある。そして、各段階においてそれぞれ適切と思われる営業行為を、商品やサービス、顧客、案件の内容に応じて遂行することが重要であり、案件化前段階での営業活動がうまくいかなければ、案件化及び営業案件の受注に至らず、また、案件化された営業案件であっても受注に至るまでの営業活動がうまくいかなければ、売上に繋がらない。
【０００５】
すなわち、効率よく営業案件を発掘し、効率よく営業案件の引き合いから受注に至らしめる営業活動を行うためには、案件化前段階及び案件化後段階での各営業活動を体系的に管理することが好ましい。しかしながら、上記特許文献１の営業活動支援システムは、顧客の規模、将来性、案件の規模などの案件状況から自動的に営業活動計画を作成し、作成された活動計画の各営業行為の効率化を図る（営業活動の目標値のズレを管理する）ものであり、様々なアプローチが存在する営業活動を商品やサービス、顧客、案件の内容に応じて段階的にかつ体系的に支援及び管理することができない。
【０００６】
また、案件化前段階の営業活動には、例えば、商品やサービスの受注に繋がる可能性のある新規顧客や既存顧客にアプローチし、営業案件を発掘する顧客軸での営業活動や商品やサービスの拡販活動（電話勧誘、セミナー・展示会でのＰＲ、ダイレクトメールの発送等）を通じて特定の顧客以外の不特定の人々にアプローチし、営業案件を発掘するマーケット軸での営業活動がある。
【０００７】
これらの営業活動は、営業案件を発掘するという同じ目的を達成するための案件化前段階の活動であるものの、その営業アプローチ（営業手法）は全く異なる。この場合も異なる営業手法に対し、異なる営業活動の支援・管理が重要であるが、案件化までに至るまでの案件化前段階の中の様々な営業手法（営業活動）を個別体系的に支援及び管理するものは今まで存在しなかった。
【０００８】
このように従来の営業活動支援システムは、企業等の営業員が商品やサービスの受注に繋がる可能性のある案件を発掘し、案件の引き合いから受注までの営業活動を、如何にして効率良く行い、高い確率で受注に寄与するかの観点から営業活動を支援及び管理することができず、様々なアプローチの営業活動を商品やサービス、顧客、案件の内容に応じて体系的に支援及び管理できなかった。
【先行技術文献】
【特許文献】
【０００９】
【特許文献１】特開２００４−４６４７２号公報（段落００１５〜００３０、図２、図３等）
【発明の概要】
【発明が解決しようとする課題】
【００１０】
本発明の目的は、企業等の営業員が商品やサービスの受注に繋がる可能性のある案件を発掘し、案件の引き合いから受注までの様々なアプローチの営業活動別に営業活動計画雛形（営業活動計画テンプレート）を提供し、段階別又は営業手法別の営業活動計画の立案や作成を支援するとともに、様々なアプローチの営業活動を体系的に管理することができる営業支援システムを提供することにある
【課題を解決するための手段】
【００１１】
本発明の１つの側面としての営業支援システムは、営業員端末を通じて入力される営業員の営業活動計画と営業活動計画に基づく営業活動実績とを記憶し、営業員の営業活動をコンピュータにより支援及び管理する営業支援システムであって、営業案件の発掘から発掘された営業案件の受注までの営業活動を少なくとも案件化前段階及び案件化後段階に区分する活動段階を特定する情報を記憶する活動区分記憶部と、活動段階を特定する情報と活動段階に含まれる所定の営業活動情報を関連付けた活動計画テンプレートを記憶する活動計画テンプレート記憶部と、営業員端末において入力された営業活動情報を含む活動計画登録要求を受信した場合、活動計画登録要求に含まれる活動段階を特定する情報と営業活動情報を識別する活動計画識別子を含む営業活動情報とを関連付けた営業活動計画情報を生成して活動計画記憶部に記憶する活動計画登録部と、営業員端末において入力された営業活動計画情報の営業活動情報に対応する活動実績情報を含む活動実績登録要求を受信した場合、活動計画識別子が一致する営業活動計画情報の活動段階を特定する情報を抽出し、抽出した活動段階を特定する情報と活動実績情報を識別する活動実績識別子を含む活動実績情報とを関連付けた営業活動実績情報を生成して活動実績記憶部に記憶する活動実績登録部と、を備える。そして、上記活動計画登録部は、営業員端末において入力された活動段階を特定する情報を含むテンプレート適用要求を受信した場合に、活動段階を特定する情報に一致する活動計画テンプレートを検索し、抽出した活動計画テンプレートにおける営業活動情報を営業員端末に表示する処理を遂行するとともに、営業員端末において入力された活動計画テンプレートの営業活動情報に対する選択情報を含む活動計画登録要求を受信した場合に、選択情報に対応する営業活動情報と活動段階を特定する情報とを関連付けた営業活動計画情報を生成して活動計画記憶部に記憶することを特徴とする。
【００１２】
また、上記営業支援システムは、活動計画テンプレートに関連付けられる複数の営業活動情報であって、営業活動情報を識別する識別子別に活動段階を特定する情報と関連付けられた営業活動マスタ情報を記憶する営業活動情報記憶部と、営業員端末において入力された活動段階を特定する情報を含む活動計画テンプレート作成要求を受信した場合に、営業活動マスタ情報記憶部から活動段階を特定する情報に一致する営業活動情報を検索し、抽出した営業活動マスタ情報を営業員端末に表示する処理を遂行するとともに、営業員端末において入力された営業活動情報の選択情報を含む活動計画テンプレート登録要求を受信した場合に、活動段階を特定する情報と関連付けられた活動計画テンプレートを識別するテンプレート識別子を含む活動計画テンプレート情報を生成するとともに、選択情報に対応する営業活動情報とテンプレート識別子とが関連付けられた活動計画テンプレート明細情報を生成して活動計画テンプレート記憶部に記憶する活動計画テンプレート登録部と、をさらに備えることができる。
【００１３】
また、上記営業支援システムは、営業員端末において入力された活動段階を特定する情報を含む活動計画／活動実績出力要求を受信した場合に、活動計画／活動実績出力要求に含まれる活動段階を特定する情報と一致する営業活動計画情報を検索するとともに、抽出した営業活動計画情報の活動計画識別子に一致する営業活動実績情報を検索し、活動段階を特定する情報毎に抽出した営業活動計画情報及び営業活動実績情報を活動計画識別子別に対応させて整列した活動計画／活動実績表を生成する活動計画／活動実績出力部をさらに備えることができる。
【００１４】
また、上記案件化前段階は、営業案件の受注に繋がる可能性のある顧客に対して新たな営業案件を発掘する顧客営業活動と、顧客を特定せずに新たな営業案件を発掘するマーケット営業活動とを含み、上記活動区分記憶部は、顧客営業活動、マーケット営業活動、及び顧客営業活動又はマーケット営業活動の結果、掘り起こされた営業案件を受注に繋げる案件化後段階の案件営業活動の各活動段階を特定する情報を記憶し、上記活動計画テンプレート記憶部は、顧客営業活動、マーケット営業活動、及び案件営業活動の各活動段階別の複数の活動計画テンプレートを記憶することができる。
【発明の効果】
【００１５】
本発明によれば、企業等の営業員が商品やサービスの受注に繋がる可能性のある案件を発掘し、案件の引き合いから受注までの様々なアプローチの営業活動別に活動計画雛形（活動計画テンプレート）を用いて、営業活動段階別又は営業手法別の営業活動計画を作成することができ、営業活動計画及びその営業活動実績を営業活動段階別又は営業手法別の各観点から体系的に管理することが可能となる。
【００１６】
すなわち、案件化前段階の営業活動及び案件化前段階の各営業活動に対して活動計画テンプレートを提供することで営業活動計画の策定を支援しつつ、営業員の経験やスキルに依存しない営業活動計画の登録を行うことができるとともに、営業活動計画及びその営業活動実績を案件化前段階及び案件化後段階で体系的に管理することができるので、企業等の営業員が商品やサービスの受注に繋がる可能性のある案件を発掘し、案件の引き合いから受注までの営業活動を、営業案件の受注への寄与の観点から体系的に管理することが可能となる。
【図面の簡単な説明】
【００１７】
【図１】本発明の第１実施形態における営業支援システムのネットワーク構成図である。
【図２】本発明の第１実施形態における営業支援システムの営業管理サーバ及びＤＢサーバの構成ブロック図である。
【図３】本発明の第１実施形態における営業支援システムの営業支援管理機能を説明するための図であり、顧客活動、マーケット活動及び案件活動の各営業活動の処理フローを示す図である。
【図４】本発明の第１実施形態における営業支援システムの活動計画テンプレートを説明するための図である。
【図５】本発明の第１実施形態における営業支援システムの顧客情報マスタ（ａ），営業員情報（ｂ）の一例を示す図である。
【図６】本発明の第１実施形態おける活動区分の一例を示す図である。
【図７】本発明の第１実施形態における活動分類マスタの一例を示す図である。
【図８】本発明の第１実施形態における活動計画テンプレート情報の一例を示す図である。
【図９】本発明の第１実施形態における活動計画テンプレート明細情報の一例である。
【図１０】本発明の第１実施形態におけるマーケット活動案件情報（ａ），顧客活動案件情報（ｂ），案件活動の案件情報（ｃ）の一例を示す図である。
【図１１】本発明の第１実施形態における活動計画情報の一例を示す図である。
【図１２】本発明の第１実施形態における活動実績情報の一例を示す図である。
【図１３】本発明の第１実施形態における営業支援システムの営業員端末に表示されるトップページの一例を示す図である。
【図１４】本発明の第１実施形態における営業支援システムの営業員端末に表示されるお客様登録編集画面の一例を示す図である。
【図１５】本発明の第１実施形態における営業支援システムの営業員端末に表示される活動計画テンプレート管理画面の一例を示す図である。
【図１６】本発明の第１実施形態における営業支援システムの営業員端末に表示される顧客情報表示画面の一例である。
【図１７】本発明の第１実施形態における営業支援システムの営業員端末に表示される活動計画作成登録画面の一例である。
【図１８】本発明の第１実施形態における営業支援システムの営業員端末に表示される活動計画テンプレート検索画面の一例である。
【図１９】本発明の第１実施形態における営業支援システムの営業員端末に表示される活動分類検索画面の一例である。
【図２０】本発明の第１実施形態における営業支援システムの営業員端末に表示されるマーケット情報登録編集画面の一例である。
【図２１】本発明の第１実施形態における営業支援システムの営業員端末に表示されるマーケット活動における活動計画作成登録画面の一例である。
【図２２】本発明の第１実施形態における営業支援システムの営業員端末に表示される案件活動における活動案件情報登録編集画面の一例である。
【図２３】本発明の第１実施形態における営業支援システムの営業員端末に表示される案件活動における活動計画作成登録画面の一例である。
【図２４】本発明の第１実施形態における営業支援システムの営業員端末に表示される顧客活動における活動実績登録編集画面の一例である。
【図２５】本発明の第１実施形態における営業支援システムの営業員端末に表示されるマーケット活動における活動実績登録編集画面の一例である。
【図２６】本発明の第１実施形態における営業支援システムの営業員端末に表示される案件活動における活動実績登録編集画面の一例である。
【図２７】本発明の第１実施形態における営業支援システムの営業員端末に表示される活動計画／活動実績出力画面の一例である。
【図２８】本発明の第１実施形態における営業支援システムの営業員端末に表示される活動計画／活動実績チャート画面の一例である。
【発明を実施するための最良の形態】
【００１８】
以下、本発明の実施形態を詳細に説明する。
【００１９】
（第１実施形態）
図１から図２８は、本発明の第１実施形態を示す図である。図１は、本発明の第１実施形態に係る営業支援システムのネットワーク構成図であり、コンピュータシステムである営業支援システム１００は、営業員を管理する上司等の管理者が操作する営業管理者端末２００及び営業員が操作する営業員端末３００が接続する営業管理サーバ１１０とＤＢサーバ１２０を含み、営業管理サーバ１１０が各端末２００、３００に営業支援管理機能を提供する。営業支援システム１００の形態としては、例えば、クライアントサーバ（Ｃ／Ｓ）、Ｗｅｂシステム（Ｗｅｂ）等を適用することができ、端末２００、３００は、営業管理サーバ１１０にＬＡＮ（ローカルエリアネットワーク）やインターネット等のネットワークＮを通じて接続することができる。
【００２０】
本実施形態の営業支援システム１００は、上述のように商品やサービス、顧客、案件の内容に応じた様々なアプローチの営業活動を個別体系的に支援及び管理する営業支援管理機能を提供する。
【００２１】
営業支援システム１００は、営業活動の様々なアプローチに対し、営業案件を発掘して案件化するまでの案件化前段階と、案件化された営業案件を受注するまでの案件化後段階に区分する。さらに、案件化前段階の営業活動を２つの営業アプローチに区分する。このため、営業案件を発掘し、発掘した案件を受注するまでの営業活動を複数に区分した活動区分を用い、案件化前段階の営業活動としての顧客活動及びマーケット活動と、案件化後段階の営業活動として案件活動との３つの営業活動に区分する。
【００２２】
顧客活動（活動区分：顧客）は、商品やサービスの受注に繋がる可能性のある新規顧客や既存顧客（従来から付き合いのある顧客や取引をしたことのある顧客等）との深耕を深め、新たな案件を発掘するための顧客軸での長期的な営業活動である。
【００２３】
マーケット活動（活動区分：マーケット）は、商品やサービスの拡販活動（電話勧誘、セミナー・展示会でのＰＲ、ダイレクトメールの発送等）を通じて特定の顧客及び不特定の顧客との接点を持つことで顧客活動に繋げたり、顧客活動を介しない新たな案件を発掘するためのマーケット軸での営業活動である。
【００２４】
案件活動（活動区分：案件）は、案件化前段階の顧客活動及びマーケット活動によって発掘されて案件化された後の案件を受注に繋げるための営業活動であり、案件化後段階の活動である。例えば、顧客活動やマーケット活動の結果、深耕度の深い顧客や商品やサービスの受注見込みのある顧客に対し、商品やサービスを紹介したり、顧客先の要望（課題、予算）をヒアリングして顧客に合った商品やサービスを提案するなど、発掘した案件を案件受注軸で行う営業活動である。
【００２５】
営業員を管理する管理者は、営業員管理者端末２００から営業員が登録した活動計画や活動実績を閲覧可能であり、進捗状況の把握、各営業員の活動計画や活動実績に対する指導コメント入力を通じた営業員とのコミュニケーションを行うことができ、各営業員の営業活動を活動区分別に管理することができる。
【００２６】
＜活動計画テンプレート＞
上述のように営業活動を顧客活動、マーケット活動、案件活動の３つの営業活動に区分し、各々の活動区分に対して、活動計画の作成及び登録、活動実績の登録、進捗管理等が行われる。そこで、営業管理サーバ１１０は、案件化前段階及び案件化後段階、各段階における営業活動（又は営業手法）別の活動計画の雛形として、活動区分別に登録された活動計画テンプレートを提供し、営業員は、活動区分別の活動計画テンプレートを用いて顧客活動、マーケット活動、案件活動の３つ各活動計画を作成し、登録することができる。
【００２７】
図４に示すように、企業等の営業員が商品やサービスの受注に繋がる可能性のある案件を発掘し、案件の引き合いから受注までの営業活動は、複数の営業活動情報（営業活動行為）が含まれる。本実施形態の営業管理サーバ１１０は、これらの複数の営業活動情報を活動分類情報として予め記憶し、記憶（登録）された複数の営業活動情報の中から選択された営業活動情報の集合を活動計画テンプレートとして登録することができる。活動計画テンプレートは、活動区分別に作成及び登録することができ、活動計画テンプレート情報ＤＢに格納される。図４の例では、活動区分「顧客」に関連付けられた顧客活動計画テンプレート、活動区分「マーケット」に関連付けられたマーケット活動計画テンプレート、活動区分「案件」に関連付けられた案件活動計画テンプレートの、３つの活動計画テンプレートが作成及び登録される。
【００２８】
なお、活動計画テンプレートは、営業員を管理する管理者や営業員自ら作成することができ、任意のタイミングで作成及び登録することができる。また、活動計画テンプレートの使用制限を設定することもできる。例えば、組織、部門、特定顧客等の使用制限項目を設定したり、使用期限を設定することもできる。この使用制限は、活動計画テンプレートの登録時に活動計画テンプレートの属性情報として組織ＩＤ、部門ＩＤ、又は顧客ＩＤを登録し、営業員の組織ＩＤ、部門ＩＤ等の属性情報や活動対象の顧客の顧客ＩＤを用いて、使用可能な活動計画テンプレートを制限することができる。
【００２９】
＜顧客活動＞
図３に示すように、営業員又は管理者は、その端末装置２００、３００を通じて活動区分別に活動計画テンプレート（顧客活動計画テンプレート）を作成し、登録することができる（Ｓ１０１）。顧客活動を行う営業員は、顧客情報マスタＤＢ１２０１から顧客活動を行う顧客情報を選択し、選択した顧客に対する顧客活動の活動計画を作成する（Ｓ１０２）。
【００３０】
ステップＳ１０２において、営業員は、顧客活動計画テンプレートを適用して活動計画を登録することができる。登録される活動計画情報は、活動区分として「顧客」が割り当てられるとともに、所定の活動計画識別情報が付され、複数の営業活動情報で構成された当該営業員の顧客活動の活動計画情報として活動計画ＤＢ１２０６に記憶される。また、活動計画の登録処理に伴って、顧客活動の活動案件情報を識別する識別子を含む顧客活動案件情報が生成され、活動区分「顧客」と関連付けられて活動案件情報ＤＢ１２０８に記憶される。
【００３１】
営業員は、日々の活動計画に則した顧客活動を実施し、その活動実績を登録する。営業員は、活動実績を登録した活動計画（各活動情報）別に、例えば、活動開始日時、活動終了日時、進捗（進捗コード）を入力し、活動実績情報として活動実績ＤＢ１２０７に登録する（Ｓ１０３）。
【００３２】
また、顧客活動の活動計画及び活動実績を用いて、活動計画立案時に設定された目標値（標準活動期間等）及びそれに対応する実績値が比較され、目標値と実績値との差分に基づく遅延や停滞などの進捗情報が生成され、営業員の進捗管理に用いられる。また、営業員は、活動実績の登録とともに、顧客活動の活動実績の進捗度合いの尺度として、顧客情報マスタＤＢ１２０１の顧客情報に含まれる深耕度を更新する。
【００３３】
そして、顧客への顧客活動の結果、営業員は新たに案件を発掘した場合、営業員は、案件化後段階の案件受注軸での案件活動を行う。
【００３４】
＜マーケット活動＞
図３に示すように、営業員又は管理者は、その端末装置２００、３００を通じて活動区分別に活動計画テンプレート（マーケット活動計画テンプレート）を作成し、登録することができる（Ｓ２０１）。営業員は、既に顧客情報マスタＤＢ１２０１に登録されている顧客を含めた不特定多数の顧客に対する営業活動、言い換えれば、特定の顧客を対象としないマーケット軸での営業活動を行う場合、商品やサービスの拡販活動情報（電話勧誘、セミナー・展示会でのＰＲ、ダイレクトメールの発送等のマーケット活動案件情報）とともに、当該マーケット活動の活動計画を登録する（Ｓ２０２）。
【００３５】
ステップＳ２０２において、営業員は、マーケット活動計画テンプレートを適用して活動計画を登録することができる。登録される活動計画情報は、活動区分として「マーケット」が割り当てられるとともに、所定の活動計画識別情報が付され、複数の営業活動情報で構成された当該営業員のマーケット活動の活動計画情報として活動計画ＤＢ１２０６に記憶される。また、活動計画の登録処理に伴って、マーケット活動の活動案件情報を識別する識別子を含むマーケット活動案件情報が生成され、活動区分「マーケット」と関連付けられて活動案件情報ＤＢ１２０８に記憶される。
【００３６】
営業員は、活動計画に則したマーケット活動を実施し、その活動実績を登録する。営業員は、活動実績を登録した活動計画（各営業活動情報）別に登録し、例えば、活動開始日時、活動終了日時、進捗（進捗コード）を入力し、活動履歴情報として活動実績ＤＢ１２０７に記憶させる（Ｓ２０３）。
【００３７】
また、マーケット活動の活動計画及び活動実績を用いて、活動計画立案時に設定された目標値（標準活動期間等）及びそれに対応する実績値が比較され、目標値と実績値との差分に基づく遅延や停滞などの進捗情報が生成され、営業員の進捗管理に用いられる。
【００３８】
マーケット活動は、不特定多数の顧客に対するマーケット軸での営業活動であるので、マーケット活動の結果に基づいて営業員は、顧客活動及び案件活動の２つの営業活動段階に進むことになる。１つ目は、マーケット活動の結果、顧客との接点を持つことができた顧客に対して上述した顧客活動を行う。この場合、接点を持つことができた顧客の顧客情報を顧客情報マスタＤＢ１２０１に登録し、上述の顧客活動を行う。
【００３９】
２つ目は、マーケット活動の結果、顧客活動を行わずに発掘された案件、例えば、展示会において商品やサービスの受注見込みのある顧客からの折衝があり、直接新たに案件を発掘した場合、マーケット活動において直接新たに案件を発掘した顧客に対して案件受注軸での案件活動を行う。
【００４０】
＜案件活動＞
図３に示すように、営業員又は管理者は、その端末装置２００、３００を通じて活動区分別に活動計画テンプレート（案件活動計画テンプレート）を作成し、登録することができる（Ｓ３０１）。顧客活動又はマーケット活動の案件化前段階の営業活動の結果、営業員は新たに発掘した案件を案件情報として活動案件情報ＤＢに登録し（Ｓ３０２）、案件化後段階の案件活動を行う。
【００４１】
案件活動を行う営業員は、活動案件情報ＤＢ１２０８に登録された案件情報に基づく案件活動の活動計画を作成する（Ｓ３０３）。
【００４２】
ステップＳ３０３において、営業員は、案件活動計画テンプレートを適用して活動計画を登録することができる。登録される活動計画情報は、活動区分として「案件」が割り当てられるとともに、所定の活動計画識別情報が付され、複数の営業活動情報で構成された当該営業員の案件活動の活動計画情報として活動計画ＤＢ１２０６に記憶される。
【００４３】
営業員は、活動計画に則した案件活動を実施し、その活動実績を登録する。営業員は、活動実績を登録した活動計画（各営業活動情報）別に登録し、例えば、活動開始日時、活動終了日時、進捗（進捗コード）を入力し、活動履歴情報として活動実績ＤＢ１２０７に記憶させる（Ｓ３０４）。また、営業員は、活動実績の登録とともに、案件活動の活動実績の進捗度合いの尺度として、活動案件情報マスタＤＢ１２０８の案件情報に含まれる案件熟度（案件進捗）を更新したり、案件計数見込みや案件計数実績の登録、受注ランクや売上ランクの更新等を行う（Ｓ３０５〜Ｓ３０７）。
【００４４】
また、案件活動の活動計画及び活動実績を用いて、活動計画立案時に設定された目標値（標準活動期間等）及びそれに対応する実績値が比較され、目標値と実績値との差分に基づく遅延や停滞などの進捗情報が生成され、営業員の進捗管理に用いられる。
【００４５】
＜システム構成及び機能説明＞
図２は、本実施形態の営業支援システム１００の構成ブロック図である。営業管理サーバ１１０は、営業員端末３００や営業員管理者端末２００との間での接続制御及びデータ送受信制御を遂行する通信制御部１１１を介したデータ送受信や、営業支援管理機能の各種支援及び管理を実行するための各種データの管理処理等を遂行する。
【００４６】
また、営業管理サーバ１１０は、ＤＢサーバ１２０から各種データを取得したり、営業管理サーバ１１０で生成したデータをＤＢサーバ１２０に出力する処理部としての機能を遂行する。
【００４７】
営業管理サーバ１１０は、営業管理サーバ１１０全体の制御を司るＣＰＵ（制御部）１１０１が営業支援プログラムを実行することにより、活動計画テンプレート作成登録制御を遂行する活動計画テンプレート登録部１１０２、営業活動計画の作成制御を遂行する活動計画作成部１１０３、活動実績の登録制御を遂行する活動実績登録部１１０４、各営業活動の活動案件情報の登録制御を遂行する活動案件情報登録部１１０５、活動計画／活動実績表を生成する活動計画／活動実績出力部１１０６、活動計画の目標値と活動実績の実績値の差分(開始遅延日数や完了遅延日数、停滞日数等)を算出したり、営業員端末３００からの情報閲覧要求に応じた各種情報を生成して出力する営業管理制御部１１０７、顧客活動、マーケット活動及び案件活動の活動計画に適用された活動計画テンプレートを分析する活動計画テンプレート分析部１１０８として機能する。また、営業管理サーバ１１０は、営業支援管理機能を使用する営業員や管理者に対して認証処理を遂行する認証処理部として機能することもできる。
【００４８】
ＤＢサーバ１２０は、顧客情報マスタＤＢ１２０１、営業員情報ＤＢ１２０２、活動分類マスタＤＢ１２０３、活動計画テンプレート情報ＤＢ１２０４、活動計画テンプレート明細情報ＤＢ１２０５、活動計画ＤＢ１２０６、活動実績ＤＢ１２０７、活動案件情報ＤＢ１２０８、及び画面情報ＤＢ１２０９を含んで構成される。
【００４９】
営業管理サーバ１１０は、営業員端末３００から送信されるログイン要求を受信した場合に、認証処理を遂行する。営業管理サーバ１１０は、所定の認証画面のログインＩＤ入力欄に入力された営業員ＩＤとパスワード入力欄に入力されたパスワード情報とを、営業員による「ログイン」ボタンの選択をトリガーに受信して営業員情報ＤＢ１２０２を参照し、該当の営業員ＩＤが存在しかつ営業員ＩＤに関連付けられたパスワード情報が一致するか否かを判別する認証処理を遂行する。認証処理の結果、営業員ＩＤ及びパスワード情報が一致する場合には、図１３に示すようなトップページＳｃ１をログインした営業員端末３００に伝送する。
【００５０】
このとき、営業管理サーバ１１０は、認証された営業員ＩＤを用いて活動案件情報ＤＢ１２０８を参照し、当該営業員が活動している活動案件情報を検索し、抽出された営業活動情報を活動表示欄（ＴｏＤｏ一覧）に表示したトップページＳｃ１に表示する表示処理を遂行することができる。図１３の例のように、案件活動、顧客活動（お客様活動）、マーケット活動の各活動区分がデフォルトで全て選択されており（チェックボックスがＯＮ）、営業管理サーバ１１０は、全ての活動区分をキーに営業員ＩＤと関連付けられた営業活動情報を抽出し、活動表示欄（ＴｏＤｏ一覧）に表示する。
【００５１】
なお、営業員は、トップページＳｃ１の案件活動、顧客活動、マーケット活動の各活動区におけるチェックボックスのＯＮ／ＯＦＦを選択して活動区分別に活動案件情報を参照することができる。営業管理サーバ１１０は、営業員端末３００から受信する活動案件参照要求に含まれるチェックボックスがＯＮされた活動区分と営業員ＩＤを条件として活動案件情報ＤＢ１２０８を検索し、該当の活動区分の活動案件情報を抽出し、活動表示欄（ＴｏＤｏ一覧）に表示することができる。また、営業管理サーバ１１０は、他の営業員や管理者からの業務通知情報やお知らせ情報等をトップページＳｃ１に表示させる表示処理を遂行することもできる。
【００５２】
また、トップページＳｃ１には、共通ヘッダ表示欄Ｈが含まれ、共通ヘッダ表示欄Ｈは、「お客様」、「案件」、「活動」、「見込・実績」、「マーケット」、「新規登録」、「活動チャート」、「設定」等の各種コマンドボタンを含んでおり、トップページＳｃ１以外の他の画面において共通して表示される。また、各画面には、データの「検索」、「登録」、「編集（修正、削除）」、「参照（閲覧）」、「出力」等の各種コマンドボタンが含まれ、営業管理サーバ１１０は、営業員端末３００を通じた営業員による各コマンドボタンの選択をトリガーに、各画面を通じて入力又は選択された情報を含む各種要求を受信し、検索処理、登録処理、編集（更新）処理、表示処理等の各種処理を遂行する。
【００５３】
図５（ａ）は、顧客情報マスタＤＢ１２０１の顧客情報マスタテーブルの一例を示す図であり、営業管理サーバ１１０は、顧客情報の検索表示処理、新規登録処理、編集処理等を遂行する。営業管理サーバ１１０は、営業員端末３００に表示された画面の共通ヘッダ部Ｈの「お客様」ボタンが選択されると、受信した画面表示要求に基づいて画面情報ＤＢ１２０９から図１４に示すお客様登録編集画面情報を抽出し、営業員端末３００に伝送する。営業員端末３００において登録ボタンＴが選択された場合、営業員端末３００は、お客様登録編集画面Ｓｃ２に入力された顧客情報を含む登録指示を営業管理サーバ１１０に送信する。営業管理サーバ１１０は、お客様登録編集画面Ｓｃ２に入力された顧客情報を含む登録指示を受信した場合に顧客情報マスタテーブルの記憶領域に、顧客情報を記憶する。営業管理サーバ１１０は、受信した顧客情報に顧客を一意に識別する顧客ＩＤを所定のルールで割り当て、顧客情報テーブルの記憶領域に、顧客ＩＤ、顧客名（漢字）、顧客名（カナ）、深耕度、電話番号、郵便番号、代表住所等の各情報を記憶させる。
【００５４】
また、営業管理サーバ１１０は、所定の画面に含まれる検索条件入力欄に入力された検索条件、例えば、顧客ＩＤや顧客名等の検索キーを含む検索要求を営業員端末３００から受信した場合、顧客情報マスタＤＢ１２０１を検索して該当する顧客情報を所定の顧客情報表示欄に表示する処理を遂行することができる。また、営業員は、検索表示された顧客情報に対して顧客情報の更新を行うことができる。営業管理サーバ１１０は、更新ボタン等のコマンドボタンが選択されると、顧客情報更新情報を含む更新要求を受信し、顧客情報更新情報を顧客情報マスタＤＢ１２０１に反映させる更新処理を遂行することができる。
【００５５】
なお、営業員は、活動実績の登録とともに、顧客活動の活動実績の進捗度合いの尺度として、顧客情報の深耕度を更新する。深耕度は、顧客活動や案件活動、受注後の製品・サービス等の納品などお客様との接触する業務の結果に対して築かれた顧客との関係性を指し示す指標であり、深耕度：１（未）、２：（低）、３：（中）、４：（高）の中から、営業員が選択して顧客情報の深耕度を更新する。この深耕度は、顧客活動全体の進捗管理の指標、又は案件の発掘し易さ、案件受注し易さなどの指標として用いられる。
【００５６】
図５（ｂ）は、営業員情報ＤＢ１２０２の営業員情報テーブルの一例を示す図であり、営業管理サーバ１１０は、営業員情報の検索表示処理、新規登録処理、編集処理等を遂行する。営業管理サーバ１１０は、営業員管理者端末２００又はシステム管理者の端末から送信される新規登録要求（例えば、「営業員新規登録」ボタンの選択）に応答し、営業員登録処理を遂行する。営業管理サーバ１１０は、営業員端末３００から送信される画面表示要求を受信した場合、画面情報ＤＢ１２０９から所定の営業員登録画面情報を抽出し、営業員管理者端末２００やシステム管理者の端末に送信する。営業員端末３００は、登録ボタン等のコマンドボタンが選択された場合、営業員登録画面に入力又は選択された営業員情報を含む登録指示を営業管理サーバ１１０に送信する。営業管理サーバ１１０は、営業員登録画面に入力又は選択された営業員情報を含む登録指示を受信した場合に、営業員情報テーブルの記憶領域に、営業員ＩＤ、営業員名、組織名、組織コード、部門名、部門コード等の各情報を営業員情報として記憶する。
【００５７】
図６は、活動分類マスタＤＢ１２０３の活動区分テーブルの一例を示す図、図７は、活動分類マスタＤＢ１２０３の活動分類マスタテーブルの一例を示す図である。営業管理サーバ１１０は、システム管理者や営業員管理者等の端末からのマスタメンテナンス要求に応答し、活動区分及び活動分類マスタの登録、修正、削除等の処理を遂行する。
【００５８】
営業管理サーバ１１０は、システム管理者や営業員管理者等の端末からの画面表示要求を受信した場合、画面情報ＤＢ１２０９から不図示の活動区分登録画面情報を抽出し、システム管理者や営業員管理者等の端末に送信する。システム管理者や営業員管理者等の端末は、登録ボタン等のコマンドボタンが選択された場合、営業管理サーバ１１０に活動区分登録画面に入力された活動区分、活動名、当該活動区分の説明等の情報を含む登録指示を送信する。営業管理サーバ１１０は、活動区分登録画面に入力された活動区分、活動名、当該活動区分の説明等の情報を含む登録指示した場合に、活動分類マスタＤＢ１２０３の活動区分テーブルの記憶領域に、活動区分（活動区分コード）、活動区分名、説明情報等を記憶する。
【００５９】
本実施形態では、営業活動の複数の各段階の活動を特定する情報として活動区分コードが設定され、案件活動（活動区分コード１）、顧客活動（活動区分コード２）、マーケット活動（活動区分コード３）の３つの活動区分コードが登録される。
【００６０】
また、営業管理サーバ１１０は、システム管理者や営業員管理者等の端末からの画面表示要求を受信した場合、画面情報ＤＢ１２０９から不図示の活動分類マスタ登録画面情報を抽出し、システム管理者や営業員管理者等の端末に送信する。システム管理者や営業員管理者等の端末は、登録ボタン等のコマンドボタンが選択された場合、営業管理サーバ１１０に活動分類マスタ登録画面に入力された活動分類情報を含む登録指示を送信する。営業管理サーバ１１０は、営業管理サーバ１１０に活動分類マスタ登録画面に入力された活動分類情報を含む登録指示を受信した場合、受信した活動分類情報を一意に識別する活動分類コードを所定のルールで割り当て、割り当てられた活動分類コードを含む活動分類情報を活動分類マスタテーブルの記憶領域に記憶する。
【００６１】
活動分類情報は、活動区分テーブルに記憶された活動区分別に関連付けられて登録され、システム管理者や営業員管理者等は、活動分類マスタ登録画面の活動区分選択欄から登録する活動分類情報が属する活動区分を選択し、活動分類情報を登録する。活動分類マスタテーブルの記憶領域には、活動分類コード、活動区分、活動分類名、活動順、標準活動期間（日数）、自動熟度設定フラグ、自動熟度コード（完了）、自動熟度名（完了）等の各情報が記憶される。
【００６２】
また、営業管理サーバ１１０は、所定の画面の検索条件入力欄に入力された検索条件、例えば、活動区分や活動分類コード等を検索キーとして含む検索指示を受信した場合、活動分類マスタＤＢ１２０３を検索して該当する活動区分や活動分類情報を所定の表示欄に表示する処理を遂行することができる。システム管理者や営業員管理者等は、検索表示された活動区分や活動分類情報に対して編集（更新、削除等）を行うことができる。営業管理サーバ１１０は、決定ボタン等のコマンドボタンが選択されると、マスタ情報編集情報を含む更新要求を受信し、活動分類マスタＤＢ１２０３に反映させる編集処理を遂行することができる。
【００６３】
図８は、活動計画テンプレート情報ＤＢ１２０４の活動計画テンプレート情報テーブルの一例を示す図であり、図９は、活動計画テンプレート情報ＤＢ１２０４の活動計画テンプレート明細情報テーブルの一例である。
【００６４】
本実施形態では、活動分類マスタＤＢ１２０３に登録された複数の活動分類情報、すなわち、複数の営業活動情報（例えば、図４の営業案件の発掘から受注までの全営業活動行為）を任意に選択し、１つ又は複数の営業活動情報で構成された活動計画テンプレート（活動計画の雛形）を活動区分別に作成（登録）し、営業員の活動計画作成及び登録に活用させることができる。
【００６５】
営業管理サーバ１１０は、活動計画テンプレートの検索表示処理、登録処理、編集処理等を遂行する。営業管理サーバ１１０は、営業員端末３００又は営業員管理者２００からの画面表示要求を受信した場合、画面情報ＤＢ１２０９から図１５に示す活動計画テンプレート管理画面Ｓｃ３を抽出して営業員端末３００に伝送する。活動計画テンプレート管理画面Ｓｃ３には、検索条件入力欄、登録された活動計画テンプレート一覧表示欄、登録された活動計画テンプレートのテンプレート明細情報（活動分類情報）を表示する登録済み活動分類情報表示欄、活動分類マスタテーブルに記憶されている活動分類情報を表示する活動分類マスタ表示欄が含まれる。
【００６６】
営業管理サーバ１１０は、活動計画テンプレート管理画面のテンプレート一覧表示欄の追加ボタンＡが選択された場合に、活動計画テンプレート登録処理を遂行する。営業管理サーバ１１０は、営業員端末３００から追加ボタンＡの選択情報を含む活動計画テンプレート作成要求を受信した場合、テンプレート一覧表示欄に新規テンプレート行を表示する表示処理を遂行する。新規テンプレート行は、テンプレート名入力欄、種別（活動区分）選択欄、利用区分（組織ＩＤ、営業員ＩＤ、顧客ＩＤ）選択欄、商品名（商品ＩＤ）入力欄、作成者（営業員ＩＤ、営業員管理者ＩＤ）選択欄等の入力選択欄である。
【００６７】
営業員は営業員端末３００から新規テンプレート行に各種情報を入力等するとともに、新規テンプレート行において作成する活動計画テンプレートの種別として活動区分を選択する。営業管理サーバ１１０は、新規テンプレート行において選択された活動区分を特定する情報、例えば、営業員端末３００から新規テンプレート行の種別選択欄の活動区分コードの選択情報を受信すると、活動分類マスタＤＢ１２０３の活動分類マスタテーブルから該当の活動区分コードに紐付く活動分類情報を抽出し、活動分類マスタ情報表示欄に表示する。
【００６８】
営業員は、活動分類マスタ情報表示欄に表示された各活動分類情報に対応して設けられたチェックボックスＣ２を選択し、活動分類マスタ情報表示欄と登録済み活動分類表示欄との間に設けられた移動ボタン（←（左へ移動）ボタンＭ１、→（右へ移動）ボタンＭ２）を操作し、選択した活動分類情報を登録済み活動分類表示欄に移動させることができる。つまり、営業員は、新規テンプレートに属する活動分類情報（営業活動情報）の関連付けを行い、営業管理サーバ１１０は、登録済み活動分類表示欄に活動分類マスタ情報表示欄で選択された活動分類情報を移動表示する処理を遂行する。
【００６９】
また、営業員は、登録済み活動分類表示欄に表示（追加）された活動分類情報を順に並び替えすることができ、登録済み活動分類表示欄に表示された各活動分類情報に対応して設けられたチェックボックスＣ１を選択し、「上へ移動」ボタンＭ３、「下へ移動」ボタンＭ４を操作することで、選択した分類活動情報の順序を並び替えすることができる。登録済み活動分類表示欄に表示された各活動分類情報の順序は、活動計画テンプレートに含まれる複数の営業活動情報の活動順を考慮した順序であり、登録済み活動分類表示欄の上から順に活動順１、２・・・が設定されており、活動計画テンプレートの各活動分類情報の活動順情報として用いられる。
【００７０】
営業員は、新規テンプレート行への入力等、活動分類情報の選択後に、不図示の決定ボタンを選択して活動計画テンプレートを登録する。営業員端末３００は、決定ボタンが選択されると、新規テンプレート行に入力された情報、選択された情報、及び活動登録済み活動分類表示欄の分類活動情報（活動分類コード）、活動登録済み活動分類表示欄に整列表示された分類活動情報の活動順情報を含む活動計画テンプレート登録要求を営業管理サーバ１１０に送信する。
【００７１】
営業管理サーバ１１０は、営業員端末３００から活動計画テンプレート登録要求を受信すると、活動計画テンプレートを一意に識別するテンプレート番号を割り当てて、活動計画テンプレート情報ＤＢ１２０４の活動計画テンプレート情報テーブルの記憶領域に、テンプレート番号、テンプレート名、活動区分、利用区分（組織ＩＤ、営業員ＩＤ、顧客ＩＤ、商品ＩＤ等の情報を記憶する。また、営業管理サーバ１１０は、活動計画テンプレート情報ＤＢ１２０４の活動計画テンプレート明細情報テーブルに、テンプレート番号に紐付く活動分類情報の明細情報を記憶する。営業管理サーバ１１０は、活動計画テンプレートの活動分類情報を一意に識別する活動計画テンプレート明細番号、活動計画テンプレートのテンプレート番号、活動分類コード、順序（活動順序）、活動名、活動期間（日数）等の情報を含む活動計画テンプレート明細情報を生成し、活動計画テンプレート明細情報テーブルの記憶領域に記憶する。活動計画テンプレートテーブルと活動計画テンプレート明細情報テーブルは、登録される活動計画テンプレートのテンプレート番号によってリレーショナルに関連付けられている。
【００７２】
また、営業管理サーバ１１０は、活動計画テンプレート検索処理を遂行する。営業員端末３００は、検索ボタンＳが選択されると、活動計画テンプレート管理画面Ｓｃ３の検索条件欄に入力された検索条件を含む検索指示を営業管理サーバ１１０に送信する。営業管理サーバ１１０は、検索条件入力欄に入力された検索条件、例えば、種別（活動区分コード）、利用区分（顧客ＩＤ等）、テンプレート名称、組織（組織ＩＤ）、商品・サービス（商品ＩＤ）等を検索キーとして含む検索指示を受信した場合、活動計画テンプレートＤＢ１２０４を検索して該当する活動計画テンプレート情報を抽出して活動計画テンプレート一覧表示欄に表示する処理を遂行する。また、活動計画テンプレート一覧表示欄に表示された活動計画テンプレート情報が選択された場合、営業員端末３００は選択された活動計画テンプレート情報のテンプレート番号を含む活動分類情報表示要求を営業管理サーバ１１０に送信する。営業管理サーバ１１０は、選択された活動計画テンプレート情報のテンプレート番号を含む活動分類情報表示要求を受信した場合、活動計画テンプレート情報ＤＢ１２０４の活動計画テンプレート明細情報テーブルからテンプレート番号が一致する活動計画テンプレート明細情報を検索し、該当する活動計画テンプレート明細情報を登録済み活動分類情報表示欄に表示する処理を遂行する。
【００７３】
また、営業管理サーバ１１０は、活動計画テンプレート編集処理を遂行する。営業管理サーバ１１０は、活動計画テンプレート一覧表示欄に表示された活動計画テンプレートの選択情報を営業員端末３００から受信すると、選択された活動計画テンプレート情報のテンプレート番号を用いて活動計画テンプレート情報ＤＢ１２０４の活動分類情報テーブルを参照し、テンプレート番号に該当する活動分類情報を抽出し、登録済み活動分類情報表示欄に表示する。また、編集作業用に活動分類マスタＤＢ１２０３の活動分類情報テーブルに記憶されている活動分類情報を活動分類マスタ情報表示欄に表示する。
【００７４】
登録済み活動分類情報表示欄に表示された活動分類情報は、チェックボックスＣ１で選択することができ、営業員は、このチェックボックスをＯＮ／ＯＦＦすることで登録した活動計画テンプレートの活動分類情報を選択することができる。また、チェックボックスをＯＮにした活動分類情報の活動順を「上へ移動」ボタンＭ３又は「下に移動」ボタンＭ４を操作して変更することができる。また、新規に活動計画テンプレートを作成する場合と同様に、活動分類マスタ情報表示欄と登録済み活動分類表示欄との間に設けられた移動ボタンＭ１、Ｍ２を操作し、チェックボックスをＯＮにして選択した活動分類情報を登録済み活動分類表示欄に移動させて活動計画テンプレートに活動分類情報を追加したり、登録済み活動分類表示欄に表示された活動分類情報を活動分類マスタ情報表示欄に移動させて、当該活動計画テンプレートから選択された活動分類情報を削除することができる。
【００７５】
また、営業員は、活動計画テンプレート一覧表示欄において、選択した活動計画テンプレートのテンプレート名称、種別（活動区分）、利用区分等を変更することができる。
【００７６】
営業員端末３００は、編集ボタンＥが選択されると、活動計画テンプレート一覧表示欄における活動計画テンプレートの編集情報、及び登録済み活動分類表示欄の分類活動情報（活動分類コード）、活動登録済み活動分類表示欄に整列表示された分類活動情報の活動順情報を含む活動計画テンプレート編集要求を営業管理サーバ１１０に送信する。営業管理サーバ１１０は、活動計画テンプレート編集要求を受信した場合、当該要求に含まれる編集情報を活動計画テンプレート情報ＤＢ１２０４に反映させる更新処理を遂行する。
【００７７】
図１０は、活動案件情報ＤＢ１２０８に記憶される活動案件情報の一例を示す図であり、図１０（ａ）は、マーケット活動案件情報テーブル、図１０（ｂ）は、顧客活動案件情報テーブル、図１０（ｃ）は、案件活動の案件情報テーブルの一例である。
【００７８】
営業管理サーバ１１０は、各営業活動の活動計画の登録時又は、活動計画の登録処理とは個別に、活動案件情報登録処理を遂行する。以下、活動計画登録処理と合わせて説明する。図１１は、活動計画ＤＢ１２０６の活動計画情報テーブルの一例である。
【００７９】
営業員端末３００は、任意の画面の共通ヘッダ表示部Ｈの「お客様」ボタンが選択されると、「お客様」ボタンの選択情報を含む画面表示要求を営業管理サーバ１１０に送信する。営業管理サーバ１１０は、画面表示要求に基づいて画面情報ＤＢ１２０９から不図示の検索条件欄を含むお客様検索画面を営業員端末３００に伝送する。営業管理サーバ１１０は、検索条件欄に入力された検索条件、例えば、顧客ＩＤや顧客名等を検索キーとして含む検索指示を受信した場合、例えば、顧客ＩＤや顧客名等を検索キーとして顧客情報マスタＤＢ１２０１を検索し、該当する顧客情報を表示する顧客情報表示欄及び当該顧客に関連する顧客活動、マーケット活動、案件活動の各営業活動に関する情報を表示する表示選択欄を含む顧客情報表示画面を営業員端末３００に送信する。
【００８０】
図１６は、顧客情報表示画面Ｓｃ４の一例であり、検索された顧客の顧客情報表示欄、「お客様活動」選択表示欄、「案件」選択表示欄、「マーケット活動」選択表示欄を含んでいる。営業員によって「お客様活動」選択表示欄が選択されると、お客様活動選択表示欄がスライド伸張表示され、計画一覧登録・編集ボタンＲ１が表示される。
【００８１】
営業員は、検索された顧客に対する顧客活動を行う場合、計画一覧登録・編集ボタンＲ１ボタンを選択して、顧客活動計画の作成及び登録を行うことができる。営業管理サーバ１１０は、「計画一覧登録・編集」ボタンの選択情報を受信すると、画面情報ＤＢ１２０９から図１７に示す活動計画作成登録画面情報を抽出し、営業員端末３００に伝送する。
【００８２】
図１７に示すように、活動計画作成登録画面Ｓｃ５は、図１６に示した「お客様活動」選択表示欄の表示領域に含まれて表示され、活動計画入力選択欄と、「テンプレート適用」ボタンＴｅｍｐ、「追加」ボタンＡ、「削除」ボタンＤ、「登録」ボタンＲ、及び「キャンセル」ボタンＣの各コマンドボタンとを含む。
【００８３】
営業員端末３００は、「テンプレート適用」ボタンＴｅｍｐが選択された場合、活動区分コード（顧客）を含むテンプレート適用要求を営業管理サーバ１１０に送信する。営業管理サーバ１１０は、テンプレート適用要求を受信した場合に、図１８に示す活動計画テンプレート検索画面Ｓｃ６を画面情報ＤＢ１２０９から抽出し、営業員端末３００に伝送する。営業員は、活動計画テンプレート検索画面から適用したい活動計画テンプレートを検索する。このとき、営業管理サーバ１１０は、活動計画作成登録の対象営業活動が活動区分：顧客であることから、図１８に示すように、検索欄の「種別」がデフォルトで「顧客」が固定表示され、営業員が活動区分として「マーケット」及び「案件」を選択できない活動計画テンプレート検索画面Ｓｃ６を営業員端末３００に送信する。また、活動計画テンプレートの他の属性、例えば、上述のように活動計画テンプレートに利用区分が指定されている場合には、検索する営業員の営業員ＩＤに対応する利用区分の組織ＩＤ、営業員ＩＤ、顧客ＩＤ、商品ＩＤ等の属性を有する活動計画テンプレートが検索されるように、自動的にデフォルトでこれらの属性が検索条件として含まれるようにすることもできる。
【００８４】
営業員端末３００は、「検索」ボタンＳが選択されると、検索欄に入力された少なくとも活動区分：顧客を含む検索指示を営業管理サーバ１１０に送信する。営業管理サーバ１１０は、例えば、テンプレート名称が検索指示に含まれる場合、活動区分：顧客でかつ入力されたテンプレート名称と一致する活動計画テンプレートを活動計画テンプレート情報ＤＢ１２０４から抽出し、テンプレート一覧表示欄に表示する。
【００８５】
営業管理サーバ１１０は、テンプレート一覧表示欄において、活動計画テンプレートが選択された場合、営業員端末３００から選択された活動計画テンプレートのテンプレート番号を含む選択情報を受信する。営業管理サーバ１１０は、活動計画テンプレート明細情報ＤＢ１２０５を参照し、選択された活動計画テンプレートのテンプレート番号に紐付く明細情報（活動分類情報）を抽出して活動分類一覧表示欄に表示する。
【００８６】
営業員は、テンプレート一覧表示欄のチェックボックスＣ１をＯＮ／ＯＦＦすることで活動計画テンプレートを選択し、選択した活動計画テンプレートの活動分類情報を活動分類一覧表示欄のチェックボックスＣ２をＯＮ／ＯＦＦすることで、複数又は全部の活動分類情報を選択することができる。営業員端末３００は、「反映」ボタンＨが選択されると、チェックボックスＣ１がＯＮされた活動計画テンプレートのテンプレート番号とチェックボックスＣ２がＯＮされた活動分類情報の活動計画テンプレート明細番号とを含む活動計画テンプレート反映要求を営業員端末３００に送信する。
【００８７】
営業管理サーバ１１０は、活動分類テンプレート明細情報ＤＢ１２０５を参照し、受信した活動計画テンプレート反映要求に含まれる活動計画テンプレート明細番号と一致する活動計画テンプレート明細情報を抽出する。そして、抽出した活動計画テンプレート明細情報を図１７に示す活動計画作成登録画面Ｓｃ５の活動計画欄に表示する。
【００８８】
なお、活動計画テンプレート検索画面Ｓｃ６において活動計画テンプレートのみが選択された場合、選択された活動計画テンプレートのテンプレート番号に紐付く全ての活動分類情報を活動計画テンプレート明細情報ＤＢ１２０５から抽出し、活動計画欄に表示する。また、活動分類一覧表示欄で任意の活動分類情報が選択されている場合には、該当の活動計画テンプレート明細番号の活動分類情報を活動計画テンプレート明細情報ＤＢ１２０５から抽出し、活動計画欄に表示する。また、活動計画テンプレートを適用した場合に活動計画欄に表示される活動分類情報は、各活動分類情報に含まれる活動期間等のデフォルト値が活動計画欄に表示される。
【００８９】
営業員は、活動計画欄に表示された各活動分類情報（営業活動情報）の開始予定日等を入力し、活動計画を作成することができる。このとき、開始予定日の入力に対し、営業員端末３００は、適用した活動計画テンプレートにおいて設定された標準活動期間に基づいて終了予定日を算出し、終了予定日を該当の入力欄に自動的に表示させることができる。なお、終了予定日は、営業員が直接入力することもできる。営業員端末３００は、「登録」ボタンＲが選択されると、図１７に示す活動計画作成登録画面Ｓｃ５の各活動分類情報の活動分類コード別の入力情報、選択情報、活動区分（顧客）、活動名、予定開始日時、予定終了日時、活動進捗コード、顧客ＩＤ、活動計画テンプレート明細番号等の活動計画情報を含む活動計画登録要求を、営業管理サーバ１１０に送信する。
【００９０】
営業管理サーバ１１０は、活動計画登録要求を受信すると、活動案件情報登録処理及び活動計画登録処理を遂行する。営業管理サーバ１１０は、受信した活動区分、顧客ＩＤを用いて、顧客活動案件情報を一意に識別する活動ＩＤを割り当て、活動ＩＤ、活動区分、顧客ＩＤ等を含む顧客活動案件情報を生成し、顧客活動案件情報テーブルの記憶領域に記憶する活動案件情報登録処理を遂行する。
【００９１】
なお、活動ＩＤは、顧客活動、マーケット活動、案件活動の各々を識別することができる識別番号が用いられ、例えば、顧客活動の活動ＩＤは、３から始まる５桁の数字、マーケット活動の活動ＩＤは、４から始まる５桁の数字、案件活動の活動ＩＤは、２から始まる５桁の数字を用いることができ、文字列の先頭番号で活動ＩＤの種別（活動区分）を識別できるようにしている。
【００９２】
また、営業管理サーバ１１０は、受信した活動計画登録要求に対して活動計画を一意に識別する活動計画Ｎｏを割り当て、活動計画Ｎｏ、活動区分（顧客）、活動分類コード、活動名、活動ＩＤ、予定開始日時、予定終了日時、活動進捗コード、顧客ＩＤ，適用テンプレート明細番号、適用テンプレート明細順序等を含む活動計画情報を生成し、活動計画情報テーブルの記憶領域に記憶する活動計画登録処理を遂行する。
【００９３】
なお、営業管理サーバ１１０は、活動計画作成登録画面において作成された活動計画が登録される際に、活動案件情報登録処理を遂行し、顧客活動案件情報テーブルの記憶領域に顧客活動案件情報を記憶しているが、顧客活動に対する活動計画登録処理と個別に活動案件情報登録処理を遂行して顧客活動案件情報を生成するようにしてもよい。
【００９４】
また、営業員は、テンプレート適用せずに活動分類マスタテーブルの活動分類情報の中から任意の活動分類情報を選択して活動計画を作成することができる。営業員端末３００は、図１７に示す活動計画作成登録画面Ｓｃ５の「追加」ボタンＡが選択されると、「追加」ボタンＡの選択情報を含む活動分類情報追加要求を営業管理サーバ１１０に送信する。営業管理サーバ１１０は、活動分類情報追加要求を受信すると、図１９に示す活動分類検索欄、活動分類一覧表示欄を含む活動分類検索画面Ｓｃ７を画面情報ＤＢ１２０９から抽出し、営業員端末３００に伝送する。営業員端末３００は、活動分類検索欄の検索ボタンＳが選択されると、活動種別（活動分類コード）を含む検索指示を営業管理サーバ１１０に送信する。なお、営業管理サーバ１１０は、活動計画テンプレートの検索処理と同様に、活動計画作成登録の対象営業活動が活動区分：顧客であることから、活動分類検索欄の「種別」がデフォルトで「顧客」が固定表示され、営業員が活動区分として「マーケット」及び「案件」を選択できない活動分類検索画面Ｓｃ７を営業員端末３００に送信する。
【００９５】
営業管理サーバ１１０は、検索指示を受信すると、活動分類検索欄に入力された検索条件、例えば、活動分類名を検索条件として入力した場合、活動区分：顧客でかつ入力された活動分類名と一致する活動分類情報を活動分類マスタテーブルから抽出し、活動分類一覧表示欄に表示する。
【００９６】
営業員は、活動分類一覧表示欄に表示される活動分類情報の各々に対応付けられて設けられるチェックボックスＣをＯＮ／ＯＦＦすることで、任意の活動分類情報を選択することができる。営業員端末３００は、活動分類検索画面Ｓｃ７の反映ボタンＨが選択されると、チェックボックスＣがＯＮされた活動分類情報の活動分類コードを含む活動分類情報反映要求を営業管理サーバ１１０に送信する。営業管理サーバ１１０は、受信した活動分類情報反映要求に含まれる活動分類コードと一致する活動分類情報を活動分類マスタテーブルから抽出し、図１７に示す活動計画作成登録画面Ｓｃ５の活動計画欄に表示する。
【００９７】
営業員は、図１７に示す活動計画欄に表示された各活動分類情報の開始予定日や終了予定日を入力し、活動計画を作成することができる。営業員端末３００は、「登録」ボタンＲが選択されると、活動計画作成登録画面Ｓｃ５の各活動分類情報の活動分類コード別の入力情報、選択情報、活動区分（顧客）、活動名、予定開始日時、予定終了日時、活動進捗コード、顧客ＩＤ等の活動計画情報を含む活動計画登録要求を、営業管理サーバ１１０に送信する。
【００９８】
営業管理サーバ１１０は、活動計画登録要求を受信すると、活動計画テンプレートを適用した際と同様に上述の活動案件情報登録処理及び活動計画登録処理を遂行する。なお、営業管理サーバ１１０は、活動計画登録処理において、活動計画テンプレートを適用していないので、受信する活動計画登録要求に活動計画テンプレート明細番号が含まれていない。このため、営業管理サーバ１１０は、受信した活動計画登録要求に対して活動計画を一意に識別する活動計画Ｎｏを割り当て、活動計画Ｎｏ、活動区分、活動分類コード、活動名、活動ＩＤ、予定開始日時、予定終了日時、活動進捗コード、顧客ＩＤ等を含む活動計画情報を生成し、活動計画情報テーブルの記憶領域に記憶する活動計画登録処理を遂行する。
【００９９】
また、営業管理サーバ１１０は、登録された活動計画の活動計画編集処理を遂行する。営業員は、登録された活動計画が表示された活動計画作成登録画面Ｓｃ５の活動計画欄の各活動分類情報（営業活動情報）の開始予定日や終了予定日を修正したり、「追加」ボタンＡ、「削除」ボタンＤを選択することで登録された活動計画に対して活動分類情報を追加、削除することができる。営業員端末３００は、「登録」ボタンＲが選択されると、活動計画の編集情報（例えば、活動分類情報別の追加情報、削除情報、開始予定日や終了予定日等の情報）を含む活動計画編集要求を営業管理サーバ１１０に送信する。営業管理サーバ１１０は、活動計画編集要求に含まれる活動計画Ｎｏと一致する活動計画情報を受信した編集情報を用いて更新し、また、活動分類情報の追加情報を含む場合には、新たに割り当てられた活動計画Ｎｏを含む活動計画情報を生成し、活動計画情報テーブルに記憶する。活動分類情報の削除情報を含む場合には、削除対象の活動計画Ｎｏと一致する活動計画情報を活動計画情報テーブルの記憶領域から削除する。
【０１００】
なお、活動計画テンプレートを用いて、登録した活動計画を編集することも可能である。この場合、上述した活動計画テンプレートを用いた活動計画の登録と同様の処理が遂行される。
【０１０１】
このように、本実施形態では、活動区分別に活動計画テンプレートを用意（登録）し、各営業員は、活動計画の作成において選択した活動計画テンプレートに含まれる全ての営業活動情報を活動計画として一括して登録したり、選択した活動計画テンプレートに含まれる任意の営業活動情報を選択して活動計画を登録することもできる。また、活動計画テンプレートに含まれていない営業活動情報を追加した活動計画、言い換えれば、活動計画テンプレートを使用せずに営業員が独自に活動計画を立案して登録することもできる。
【０１０２】
図２０は、マーケット情報登録編集画面の一例を示す図であり、マーケット情報登録編集画面Ｓｃ８は、マーケット情報入力欄、マーケット活動の対象商品・サービス入力欄、担当者入力欄、マーケット活動計画作成登録欄等を含んでいる。図２１は、マーケット活動計画作成登録画面Ｓｃ１０を含むマーケット情報表示画面Ｓｃ９の一例を示す図であり、マーケット活動計画作成登録画面Ｓｃ１０は、図１７の活動計画作成登録画面Ｓｃ５と同様の構成となっている。
【０１０３】
営業員端末３００は、マーケット情報登録編集画面Ｓｃ８の登録ボタンＲが選択されると、活動区分（マーケット）を含む活動計画登録要求を営業管理サーバ１１０に送信する。営業管理サーバ１１０は、活動計画登録要求を受信すると、上述した顧客活動の活動計画登録処理及び活動案件情報登録処理と同様の、マーケット活動における活動案件情報登録処理及び活動計画登録処理を遂行する。
【０１０４】
営業管理サーバ１１０は、受信した活動計画登録要求に含まれる活動区分、マーケット名（物件名）商品名（商品ＩＤ）、マーケット活動開始日、マーケット活動終了日を用いて、マーケット活動案件情報を一意に識別する活動ＩＤを割り当て、活動ＩＤ、活動区分、マーケット名（物件名）商品名（商品ＩＤ）、マーケット活動開始日、マーケット活動終了日、担当者（営業員ＩＤ）等を含むマーケット活動案件情報を生成し、活動案件情報ＤＢ１２０８におけるマーケット活動案件情報テーブルの記憶領域に記憶する活動案件情報登録処理を遂行する。
【０１０５】
また、営業管理サーバ１１０は、受信した活動計画登録要求に対して活動計画を一意に識別する活動計画Ｎｏを割り当て、活動計画Ｎｏ、活動区分（マーケット）、活動分類コード、活動名、活動ＩＤ（マーケット活動案件情報の活動ＩＤ）、予定開始日時、予定終了日時、活動進捗コード、適用テンプレート明細番号、適用テンプレート明細順序等を含む活動計画情報を生成し、活動計画情報テーブルの記憶領域に記憶する活動計画登録処理を遂行する。
【０１０６】
なお、マーケット活動の活動計画も、マーケット活動計画作成登録画面Ｓｃ１０を通じて上述した顧客活動と同様に活動計画テンプレートを適用して活動計画を作成することができ、また活動計画テンプレートを適用しないで活動計画を作成することができる。詳細については、上述した顧客活動における活動計画作成登録処理と同様であるので、説明を省略する。
【０１０７】
案件活動は、上述のように顧客活動又はマーケット活動の案件化前段階の営業活動の結果、営業員は新たに案件を発掘した後に行う、営業案件を受注に繋げるための営業活動である（案件化後段階の営業活動）。このため、営業員は、案件活動の活動案件情報を活動案件情報ＤＢ１２０８に登録し、活動案件情報ＤＢ１２０８に登録された案件情報に基づいて活動計画を登録する。
【０１０８】
営業員は、任意の画面の共通ヘッダ表示部Ｈの「案件」ボタンから「案件登録編集」が選択することができ、営業員端末３００は、「案件登録編集」ボタンの選択情報を含む画面表示要求を営業管理サーバ１１０に送信する。営業管理サーバ１１０は、画面表示要求に基づいて画面情報ＤＢ１２０９から図２２の案件活動の案件基本情報入力欄を含む案件登録編集画面Ｓｃ１１を営業員端末３００に伝送する。営業管理サーバ１１０は、案件活動の案件基本情報入力欄に入力された情報（案件名、案件状況（熟度コード）、顧客ＩＤ、受注ランク、売り上げランク等）と活動区分（案件）とを含む案件情報登録要求を受信した場合、受信した顧客活動案件情報を一意に識別する活動ＩＤを割り当て、活動ＩＤ、活動区分（案件）、顧客ＩＤ、物件名（案件名）、案件状況（案件進捗）、受注ランク、売上ランク等を含む案件活動の活動案件情報を生成し、案件活動の活動案件情報テーブルの記憶領域に記憶する活動案件情報登録処理を遂行する。
【０１０９】
なお、図１０（ｃ）に示すように、案件活動の活動案件情報テーブルの記憶領域には、元活動ＩＤ、元活動実績Ｎｏが設けられている。元活動ＩＤ、元活動実績ＮＯは、顧客活動、マーケット活動、案件活動の各営業活動の関連を示す情報であり、本実施形態では、活動区分別に各営業活動が、顧客活動から案件活動、マーケット活動から案件活動、マーケット活動から顧客活動を経て案件活動の３つの関連付けを持つことになる。このため、案件活動の活動案件情報は、顧客活動及び／又はマーケット活動の活動ＩＤとその活動実績が「元」として関連付けられた元活動ＩＤ、元活動実績ＮＯを含む。
【０１１０】
このため、案件登録編集画面Ｓｃ１１の案件基本情報入力欄に、顧客活動案件情報又はマーケット活動案件情報の活動ＩＤを選択又は入力する案件化前段階活動選択欄を設けることができ、営業員端末３００は、顧客活動案件情報又はマーケット活動案件情報の活動ＩＤを含む案件情報登録要求を営業管理サーバ１１０に送信し、営業管理サーバ１１０は、受信した活動ＩＤを活動案件情報テーブルの元活動ＩＤの記憶領域に記憶する。また、元活動実績Ｎｏは、元活動ＩＤに対応する顧客活動又はマーケット活動の活動実績情報の識別Ｎｏであり、例えば、元活動ＩＤに一致する活動実績情報のうち、最新の活動実績（顧客活動又はマーケット活動において一番最後に実施した活動計画の活動実績）を活動実績ＤＢ１２０７から取得して、案件活動の活動案件情報に含ませることができる。
【０１１１】
また、案件登録編集画面Ｓｃ１１の案件基本情報入力欄に案件化前段階活動選択欄を設ける以外にも、例えば、顧客活動やマーケット活動の活動実績登録画面、顧客活動案件情報やマーケット活動案件情報の閲覧画面に不図示の「案件化」ボタンを設けることができる。この場合、「案件化」ボタンの選択情報を受信した営業管理サーバ１１０が、図２２に示す案件活動の案件基本情報入力欄を含む案件登録編集画面Ｓｃ１１を営業員端末３００に伝送して、案件活動の活動案件情報の登録処理を遂行することができる。このとき、顧客活動やマーケット活動の活動実績登録画面等に設けられた「案件化」ボタンから案件活動の活動案件情報を登録するので、営業員端末３００は、「案件化」ボタンが選択された場合、「案件化」ボタンが選択された画面において表示処理された顧客活動又はマーケット活動の活動案件情報に含まれる活動ＩＤを保持しておき、案件情報登録要求に含ませて営業管理サーバ１１０に送信することができる。
【０１１２】
また、顧客活動においてもマーケット活動段階を経て行われる場合もあり、顧客活動案件情報も図１０（ｂ）に示すように、マーケット活動案件情報の活動ＩＤとその活動実績Ｎｏが「元」として関連付けられて顧客活動情報テーブルに記憶される。
【０１１３】
このように営業管理サーバ１１０は、営業員端末３００からマーケット活動案件情報の活動ＩＤを含む顧客活動の活動案件情報に対する案件情報登録要求を受信した場合、マーケット活動案件情報の活動ＩＤを含む活動案件情報を生成して活動案件情報ＤＢ１２０８に記憶するとともに、営業員端末３００から顧客活動案件情報又はマーケット活動案件情報の活動ＩＤを含む案件活動の活動案件情報に対する案件情報登録要求を受信した場合、顧客活動案件情報又はマーケット活動案件情報の活動ＩＤを含む活動案件情報を生成して活動案件情報ＤＢ１２０８に記憶する。
【０１１４】
なお、営業員は、案件活動の活動実績の登録とともに、案件活動の活動実績の進捗度合いの尺度として、案件熟度、受注ランク、売上ランクを更新する。案件熟度は、案件活動の結果、受注までの活動プロセスの進捗度合いを指し示す指標であり、案件熟度：０（案件発掘）、１：（キーマン）、２：（予算用概算）、３：（予算化確認）、４：（ＲＦＰ受領）、５：（提案）、６：（正式見積、入札）、７：（競合状況）、８：（意思決定Ｐ、技術審査）、９：（内示）の中から、営業員が選択して案件活動の活動案件情報を更新したり、又は案件活動の完了実績に応じて自動で更新する。また、受注ランク及び売上ランクは、当該案件を受注する見込みと売上計上する見込みの確かさ(確率)を指し示す指標であり、確度高、確度中高、確度中、確度低中、確度低等の中から営業員が選択して案件活動の活動案件情報を更新する。
【０１１５】
図２３は、案件活動計画作成登録画面Ｓｃ１３を含む案件情報表示画面Ｓｃ１２の一例を示す図であり、案件活動計画作成登録画面Ｓｃ１３は、図１７に示した活動計画作成登録画面Ｓｃ５と同様の構成である。営業員端末３００は、活動計画作成登録画面Ｓｃ１３の登録ボタンＲが選択されると、活動区分（案件）を含む活動計画登録要求を営業管理サーバ１１０に送信する。営業管理サーバ１１０は、活動計画登録要求を受信すると、上述した顧客活動の活動計画登録処理と同様の、案件活動における活動計画登録処理を遂行する。
【０１１６】
なお、案件活動の活動計画も、上述した顧客活動と同様に活動計画テンプレートを適用して活動計画を作成することができ、また活動計画テンプレートを適用しないで活動計画を作成することができる。詳細については、上述した顧客活動における活動計画作成登録処理と同様であるので、説明を省略する。
【０１１７】
図１２は、活動実績ＤＢ１２０７の活動実績情報テーブルの一例を示す図であり、活動実績情報テーブルの記憶領域に、活動実績Ｎｏ、活動計画ＮＯ、済フラグ、活動区分コード、活動名、結果概要、活動ＩＤ、開始日時、終了日時、活動進捗コード、顧客ＩＤを記憶する。
【０１１８】
営業員端末３００は、任意の画面の共通ヘッダ表示部Ｈの「お客様」ボタンが選択されると、「お客様」ボタンの選択情報を含む画面表示要求を営業管理サーバ１１０に送信する。営業管理サーバ１１０は、画面表示要求に基づいて画面情報ＤＢ１２０９から不図示の検索条件欄を含むお客様検索画面を営業員端末３００に伝送する。営業管理サーバ１１０は、検索条件欄に入力された検索条件、例えば、顧客ＩＤや顧客名等を検索キーとして含む検索指示を受信した場合、例えば、顧客ＩＤや顧客名等を検索キーとして顧客情報マスタＤＢ１２０１を検索し、該当する顧客情報を表示する顧客情報表示欄及び当該顧客に関連する顧客活動、マーケット活動、案件活動の各営業活動に関する情報を表示する表示選択欄を含む顧客情報表示画面を営業員端末３００に送信する。
【０１１９】
図２４は、顧客情報表示画面Ｓｃ１４の一例であり、検索された顧客の顧客情報表示欄、「お客様活動」選択表示欄、「案件」選択表示欄、「マーケット活動」選択表示欄を含んでいる。営業員によって「お客様活動」選択表示欄が選択されると、お客様活動選択表示欄がスライド伸張表示され、当該顧客を対象として顧客活動の登録済み活動計画情報が表示される。営業員端末３００は、「お客様活動」選択表示欄が選択されると、顧客ＩＤを含む「お客様活動」選択表示欄の選択情報を営業管理サーバ１１０に送信する。営業管理サーバ１１０は、活動計画ＤＢ１２０６を参照し、受信した選択情報に含まれる顧客ＩＤと一致する活動計画情報を検索する。そして、抽出された活動計画情報を含み、各活動計画Ｎｏ別の活動実績入力選択欄を含む活動実績登録編集画面Ｓｃ１５を、営業員端末３００に送信する。また、活動実績登録編集画面Ｓｃ１５には、計画なし実績追加ボタンＰ１、実績追加ボタンＰ２、削除ボタンＤ、登録ボタンＲ、キャンセルボタンＣが表示される。
【０１２０】
営業員は、登録した活動計画に対してその活動実績を登録する。営業員は、登録した活動計画情報の活動計画Ｎｏ毎に対応する活動実績入力選択項目に、活動実績（開始日、終了日、済みフラグ（済、未）、活動進捗（未、活動中、完了）等）を入力する。営業員端末３００は、活動実績登録編集画面Ｓｃ１５の登録ボタンＲが選択されると、活動計画Ｎｏ別に開始日、終了日、済みフラグ（済、未）、活動進捗（未、活動中、完了）を含む活動実績登録要求を営業管理サーバ１１０に送信する。
【０１２１】
営業管理サーバ１１０は、活動実績登録要求を受信すると、活動計画Ｎｏ別に活動実績情報を一意に識別する活動実績Ｎｏを割り当て、活動実績Ｎｏ、活動計画Ｎｏ、済みフラグ、活動区分（顧客）、活動分類コード、活動名、結果概要、活動ＩＤ、開始日時、終了日時、活動進捗、顧客ＩＤを含む活動実績情報を生成し、活動実績情報テーブルの記憶領域に記憶する活動実績登録処理を遂行する。
【０１２２】
なお、営業管理サーバ１１０は、活動実績登録処理において、受信した活動実績登録要求に含まれる活動計画Ｎｏと一致する活動計画ＤＢ１２０６の活動計画情報をから、活動区分（顧客）、活動分類コード、活動名、活動ＩＤ、顧客ＩＤを抽出し、活動実績情報を生成することができる。
【０１２３】
また、営業員は、活動実績登録編集画面Ｓｃ１５を通じて登録した活動実績を編集することができる。営業員は、登録された活動実績が表示された活動実績登録編集画面Ｓｃ１５の活動実績入力選択欄の各活動分類情報（営業活動情報）の開始予定日や終了予定日を修正することができる。営業員端末３００は、「登録」ボタンＲが選択されると、活動実績の編集情報（例えば、活動実績情報の開始予定日や終了予定日等の情報）を含む活動実績編集要求を営業管理サーバ１１０に送信する。営業管理サーバ１１０は、活動実績編集要求に含まれる活動実績Ｎｏと一致する活動実績情報を受信した編集情報を用いて更新する。
【０１２４】
図２５は、マーケット活動の活動実績登録編集画面Ｓｃ１７を含むマーケット活動情報表示画面Ｓｃ１６の一例を示す図であり、活動実績登録編集画面Ｓｃ１７は、図２４に示した活動実績登録編集画面Ｓｃ１５と同様の構成である。営業員端末３００は、活動実績登録編集画面Ｓｃ１５の登録ボタンＲが選択されると、活動計画Ｎｏ別に開始日、終了日、済みフラグ（済、未）、活動進捗（未、活動中、完了）を含む活動実績登録要求を営業管理サーバ１１０に送信する。営業管理サーバ１１０は、活動計画登録要求を受信すると、上述した顧客活動の活動実績登録処理と同様の、マーケット活動における活動実績登録処理を遂行する。
【０１２５】
図２６は、案件活動の活動実績登録編集画面Ｓｃ１９を含む案件活動情報表示画面Ｓｃ１８の一例を示す図であり、案件活動の活動実績登録編集画面Ｓｃ１９は、図２４に示した活動実績登録編集画面Ｓｃ１５と同様の構成である。営業員端末３００は、活動実績登録編集画面Ｓｃ１９の登録ボタンＲが選択されると、活動計画Ｎｏ別に開始日、終了日、済みフラグ（済、未）、活動進捗（未、活動中、完了）を含む活動実績登録要求を営業管理サーバ１１０に送信する。営業管理サーバ１１０は、活動計画登録要求を受信すると、上述した顧客活動の活動実績登録処理と同様の、案件活動における活動実績登録処理を遂行する。
【０１２６】
図２７、図２８は、本実施形態の活動計画／活動実績出力処理を説明するための図であり、図２７は、活動計画／活動実績出力画面（活動予実チャート出力画面）Ｓｃ２０である。
【０１２７】
営業員端末３００は、任意の画面の共通ヘッダ表示部Ｈの「活動チャート」ボタンが選択されると、「活動チャート」ボタンの選択情報を含む画面表示要求を営業管理サーバ１１０に送信する。営業管理サーバ１１０は、画面表示要求に基づいて画面情報ＤＢ１２０９から図２７に示す抽出条件欄（基本条件欄、案件抽出条件欄、マーケット抽出条件欄）を含む活動計画／活動実績出力画面Ｓｃ２０を営業員端末３００に伝送する。営業管理サーバ１１０は、抽出条件欄に入力された抽出条件、例えば、活動区分（対象活動）、顧客ＩＤ等を抽出キーとして含む抽出指示を受信した場合、活動計画／活動実績出力処理を遂行する。営業管理サーバ１１０は、受信した抽出指示に含まれる活動区分と顧客ＩＤを検索キーとして活動計画ＤＢ１２０６を参照し、活動区分及び顧客ＩＤに一致する活動計画情報を抽出する。さらに、営業管理サーバ１１０は、抽出した活動計画情報の活動計画Ｎｏを参照し、活動計画Ｎｏに一致する活動実績情報を活動実績ＤＢ１２０７から抽出する。また、営業管理サーバ１１０は、顧客ＩＤと一致する顧客情報を顧客情報マスタＤＢ１２０１から抽出する。
【０１２８】
営業管理サーバ１１０は、営業員端末３００から送信される活動計画／活動実績出力画面Ｓｃ２０の「画面表示」ボタン選択情報を受信すると、活動区分毎に、抽出した活動計画情報及び活動実績情報を活動計画Ｎｏ別に対応させて整列した活動計画／活動実績表を生成し、抽出した顧客情報を含んだ活動計画／活動実績表を営業員端末３００に送信する。
【０１２９】
図２８は、営業員端末３００に表示された活動計画／活動実績表を含む活動計画／活動実績チャート画面の一例である。図２８に示すように、営業管理サーバ１１０は、図２７で指定した抽出条件に基づいて抽出した結果情報を用い、活動区分（活動項目）毎に活動計画及び活動実績を表示するとともに、各活動区分の複数の活動分類情報別に活動計画Ｎｏに紐付く活動計画と活動実績とを上下セットに整列させた活動計画／活動実績表を生成する。図２８の例では、顧客に対して行われているマーケット活動及び案件活動の各活動計画及び活動実績が、活動区分毎にチャート形式で生成されている。
【０１３０】
このように、本実施形態の活動計画／活動実績表は、抽出条件として各活動区分（マーケット活動、顧客活動、案件活動）に対して各々個別に、又は各活動情報を一括して一画面で表示するとともに、各活動区分の活動分類情報別の活動計画／活動実績のタイムチャートが左右方向に日付順に表示される。したがって、活動区分に応じた体系別に活動計画及び活動実績の管理ができるとともに、所定の顧客への顧客活動及び案件活動の活動計画／活動実績を一括して管理することができる。
【０１３１】
なお、営業管理サーバ１１０は、営業員端末３００に表示された活動計画／活動実績表の各活動計画情報及び活動実績情報の日付スケールＢ１の表示位置に関する情報を保持することができ、活動計画／活動実績表から活動計画及び活動実績を変更することも可能である。例えば、営業員は、営業端末３００に表示された活動計画情報又は活動実績情報の各日付（期間）に対応して表示される日付スケール（日付バー）Ｂ１をスライド操作して活動計画及び活動実績を変更することも可能である。このとき、営業員端末３００は、「計画変更」ボタンが選択されると、日付スケールＢ１のスライド操作によって変更された日付スケールＢ１の表示位置情報とこの日付スケールＢ１に対応する活動計画又は活動実績の識別情報とを含む計画（実績）変更要求を営業管理サーバ１１０に送信する。営業管理サーバ１１０は、受信した活動計画又は活動実績の識別情報を用いて変更対象の活動計画又は活動実績を特定し、かつ表示位置情報に含まれる変更後の日付スケールＢ１の表示位置と、変更前の日付スケールＢ１の表示位置との差分を算出し、差分に基づく日数等の計画（実績）変更情報を生成する。そして、活動計画ＤＢ１２０６又は／及び活動実績ＤＢ１２０７に対して変更情報に基づく活動計画情報／活動実績情報の更新処理を遂行する。
【０１３２】
また、活動計画／活動実績表に表示される各種データ（活動区分、活動分類情報、日付バーの表示位置情報等）を保持する記憶部と、活動計画／活動実績表に表示される各種データの表示制御を遂行する表示制御部とを、別途営業員端末３００に備えるように構成することも可能であり、この場合、営業管理サーバ１１０は、営業員端末３００に活動計画／活動実績表を送信する際、活動計画／活動実績表を生成するための各種元データを送信する。営業員端末３００は、これらの各種元データを所定の記憶部に保持し、営業員端末３００において日付スケールの変更選択がされた場合に、営業端末３００の表示制御部が日付スケール変更に伴う活動計画情報又は／及び活動実績情報の変更情報を生成し、営業管理サーバ１１０に送信することも可能である。また、活動計画／活動実績表の表示は、営業支援システム１００が提供する以外の他の表形式の表示ツール（表示制御プログラム）によって営業員端末３００に表示することも可能である。
【０１３３】
また、図２８示すように、活動計画／活動実績表は、日、週、月、四半期等の表示スケールを変更することも可能である。営業員は、図２８の表示変更バーＢ２を操作することで、チャートの表示スケールの変更を行うことができる。
【０１３４】
営業管理サーバ１１０は、所定のタイミング（日時バッチ）又はリアルタイムに、登録された活動計画の目標値と活動実績の実績値の差分(開始遅延日数や完了遅延日数、停滞日数等)を算出し、活動計画ＤＢ１２０６を更新する営業管理制御部として機能し、営業管理情報更新処理を遂行する。営業管理サーバ１１０は、例えば、活動計画ＤＢ１２０６から活動計画Ｎｏを抽出し、活動計画Ｎｏに一致する活動実績ＤＢ１２０７の活動実績情報を参照する。活動計画Ｎｏに対応する活動実績ＤＢに開始日時の実績値が登録されていない場合、システムスケジューラ等の機能を用いて、現在日時と登録された活動計画情報の開始予定日時との差分を算出し、開始遅延日数を生成する。営業管理サーバ１１０は、生成した開始遅延日数を活動計画ＤＢ１２０６の記憶領域に記憶（更新）する。
【０１３５】
また、営業管理サーバ１１０は、活動計画Ｎｏに対応する活動実績ＤＢに開始日時の実績値が登録され、かつ終了日時の実績値が登録されていない場合、システムスケジューラ等の機能を用いて、現在日時と登録された活動計画情報の完了予定日時との差分を算出し、完了遅延日数を生成する。営業管理サーバ１１０は、生成した完了遅延日数を活動計画ＤＢ１２０６の記憶領域に記憶（更新）する。
【０１３６】
営業管理サーバ１１０は、営業員端末３００からの情報閲覧要求に応じた各種情報を生成して出力する営業管理制御部として機能し、情報閲覧処理を遂行する。
【０１３７】
営業管理サーバ１１０は、例えば、営業員端末３００に表示された所定の検索画面から入力された顧客ＩＤ、活動ＩＤ（顧客活動、マーケット活動、案件活動の活動ＩＤ）を含む情報閲覧要求を受信した場合、情報閲覧処理を遂行する。営業管理サーバ１１０は、例えば、活動ＩＤを含む情報閲覧要求を受信した場合、活動案件情報ＤＢ１２０８を参照し、活動ＩＤに一致する活動案件情報を抽出する。このとき、抽出した活動案件情報、例えば、案件活動の活動案件情報に案件化前段階の顧客活動又はマーケット活動の元活動ＩＤが含まれているか否かを判別する。そして、元活動ＩＤが含まれていると判別した場合、さらに元活動ＩＤに一致する活動案件情報を検索し、案件化前段階の顧客活動又はマーケット活動の活動案件情報と、案件化後段階の営業活動である案件活動の活動案件情報とを含む活動案件情報一覧情報を生成し、営業員端末３００に表示させる処理を遂行することができる。
【０１３８】
また、営業管理サーバ１１０は、例えば、顧客ＩＤを含む情報閲覧要求を受信した場合も、活動案件情報ＤＢ１２０８を参照し、顧客ＩＤに一致する活動案件情報を抽出する。そして、案件活動の活動案件情報に案件化前段階の顧客活動又はマーケット活動の元活動ＩＤが含まれている場合には、さらに元活動ＩＤに一致する活動案件情報を検索し、案件化前段階の顧客活動又はマーケット活動の活動案件情報と、案件化後段階の営業活動である案件活動の活動案件情報とを含む活動案件情報一覧情報を生成し、営業員端末３００に表示させる処理を遂行することができる。
【０１３９】
さらに営業管理サーバ１１０は、各案件活動の登録された活動計画情報又は／及び活動実績情報を含んだ活動案件情報一覧情報を生成することもできる。例えば、情報閲覧要求に含まれる活動ＩＤ、活動案件情報に含まれる元活動ＩＤが一致する活動計画情報、活動実績情報を活動計画ＤＢ１２０６、活動実績ＤＢ１２０７から抽出し、顧客活動案件情報とそれに対応する登録された活動計画情報又は／及び登録された活動実績情報を含む情報、マーケット活動案件情報とそれに対応する登録された活動計画情報又は／及び登録された活動実績情報を含む情報、案件活動の活動案件情報とそれに対応する登録された活動計画情報又は／及び登録された活動実績情報を含む情報を各々生成し、これを所定のフォーマットで整列させた活動案件情報一覧情報を生成することもできる。
【０１４０】
営業管理サーバ１１０は、所定のタイミング（日時バッチ）又はリアルタイムに、活動計画テンプレート分析処理を遂行することができる。営業管理サーバ１１０は、登録された活動計画テンプレートを用いて活動計画が登録されている場合、各活動計画テンプレート及び活動計画テンプレートの各活動分類情報の分析処理を遂行する。
【０１４１】
顧客活動計画テンプレートの場合、顧客活動における深耕度の更新がなされるリードタイム（深耕度のランクアップに要した日数等）をモニタリングしたり、深耕度が高い（又は深耕度が低い）顧客に対する顧客活動の活動計画に適用された活動計画テンプレートを集計することができる。また、顧客活動計画テンプレートを適用して登録された活動計画を実施した顧客活動の結果、案件が発掘されて案件活動の活動案件情報が登録された案件化数をカウントしたり、案件が発掘されて案件活動の活動案件情報が登録されるまでの案件発生リードタイム（顧客活動の開始日時から案件活動の活動案件情報が登録されるまでの日数等）をモニタリングすることができる。
【０１４２】
営業管理サーバ１１０は、このようにモニタリング、集計、カウント等の活動計画テンプレート分析情報収集処理を所定のタイミング（日時バッチ）又はリアルタイムに遂行し、所定の記憶部に記憶することができる。そして、営業管理サーバ１１０は、深耕度ランクアップのリードタイムが短い活動計画テンプレート、深耕度が高い（又は深耕度が低い）顧客活動の寄与した活動計画テンプレート、案件化数の多い活動計画テンプレート、案件発生リードタイムの短い活動計画テンプレート等の営業活動の成果が高い活動計画テンプレートを出力したり、逆に、営業活動の成果が低い活動計画テンプレートを出力する活動計画テンプレート分析情報出力処理を遂行することができる。
【０１４３】
これらの分析結果は、活動計画テンプレートの作成登録に用いられ、登録された活動計画テンプレートの改善の指標として用いることができる。
【０１４４】
また、営業管理サーバ１１０は、マーケット活動においても、マーケット活動計画テンプレートを適用して登録された活動計画を実施したマーケット活動の結果、案件が発掘されて案件活動の活動案件情報が登録された案件化数をカウントしたり、案件が発掘されて案件活動の活動案件情報が登録されるまでの案件発生リードタイム（マーケット活動の開始日時から案件活動の活動案件情報が登録されるまでの日数等）をモニタリングし、案件化数の多い活動計画テンプレート、案件発生リードタイムの短い活動計画テンプレート等の営業活動の成果が高い活動計画テンプレートを出力したり、逆に、営業活動の成果が低い活動計画テンプレートを出力する活動計画テンプレート分析情報出力処理を遂行する。
【０１４５】
案件活動計画テンプレートの場合、案件活動における案件熟度や受注ランク、見込みランクの更新がなされるリードタイムをモニタリングしたり、案件熟度が高い（又は案件熟度が低い）案件活動の活動計画に適用された活動計画テンプレートを集計することができる。また、案件活動計画テンプレートを適用して登録された活動計画を実施した案件活動の結果、案件が受注された受注数（受注されなかった失注数）をカウントしたり、案件活動の活動案件情報が登録されてから受注に至るまでの受注リードタイム（案件活動の開始日時から案件熟度が受注に更新されるまでの日数等）をモニタリングすることができる。
【０１４６】
営業管理サーバ１１０は、顧客活動計画テンプレートと同様に、営業活動の成果が高い案件活動計画テンプレートを出力したり、逆に、営業活動の成果が低い案件活動計画テンプレートを出力する活動計画テンプレート分析情報出力処理を遂行することができ、これらの分析結果は、活動計画テンプレートの作成登録に用いられ、登録された活動計画テンプレートの改善の指標として用いることができる。
【０１４７】
このように本実施形態の営業支援システム１００は、案件化前段階及び案件化後段階の各営業活動を個別にかつ体系的に管理することが可能であるため、活動計画テンプレートの分析処理、言い換えれば、営業案件の発掘に最も有効な営業活動（例えば、案件発掘率の高い顧客活動、マーケット活動）や営業案件の受注率が一番高い案件活動、又は営業案件の発掘から受注に至るまでに最も効率のよい営業活動（顧客活動→案件活動、マーケット活動→案件活動、マーケット活動→顧客活動→案件活動）等を活動体系別に、又は活動体系間の繋がりで分析することができる。
【０１４８】
つまり、案件化前段階及び案件化後段階の各々の活動計画を分析し、営業活動の成果が高い活動計画を出力したり、逆に、営業活動の成果が低い活動計画を出力する分析情報出力処理を遂行することにより、案件化前段階及び案件化後段階の各々の営業活動のベストプラクティスを個別体系的に評価する分析情報を生成したり、案件化前段階の営業活動の結果に対して案件化後段階の最も受注に繋がり易い案件活動を分析し、活動体系間での繋がりのある営業活動を評価する分析情報を生成することができる。
【０１４９】
このため、本発明の営業支援システムは、営業員端末３００を通じて入力される営業員の営業活動計画と営業活動計画に基づく営業活動実績とを格納し、営業員の営業活動をコンピュータにより支援及び管理する営業支援システムとして構成され、以下を含むように構成することができる。
【０１５０】
すなわち、営業案件の発掘から発掘された営業案件の受注までの営業活動を少なくとも案件化前段階及び案件化後段階に区分する、活動段階を特定する情報を記憶する活動分類マスタＤＢ（活動区分記憶部）１２０３と、営業員端末３００において入力された営業活動情報を含む活動計画登録要求を受信した場合、活動計画登録要求に含まれる案件化前段階又は案件化後段階を特定する情報（活動区分）と営業活動情報を識別する活動計画識別子（活動計画Ｎｏ）を含む営業活動情報とを関連付けた営業活動計画情報を生成して活動計画ＤＢ１２０６（活動計画記憶部）に記憶する活動計画登録部１１０３と、営業員端末３００において入力された営業活動計画情報の営業活動情報に対応する活動実績情報を受信した場合、活動計画Ｎｏが一致する営業活動計画情報の案件化前段階又は案件化後段階を特定する情報を抽出し、抽出した案件化前段階又は案件化後段階を特定する情報と活動実績情報を識別する活動実績Ｎｏ（活動実績識別子）を含む活動実績情報とを関連付けた営業活動実績情報を生成して活動実績ＤＢ１２０７（活動実績記憶部）に記憶する活動実績登録部１１０４と、備える。
【０１５１】
そして、少なくとも顧客活動の活動実績の進捗度合いの尺度としての深耕度を含む顧客情報を格納する顧客情報マスタＤＢ１２０１と、営業員端末３００からの深耕度更新要求に対して顧客情報マスタＤＢ１２０１を参照し、顧客深耕度がランクアップされたか否かをモニタリングするとともに、当該顧客に紐付く顧客活動の活動計画情報及び活動実績情報から顧客深耕度がランクアップしたリードタイムを算出し、算出したリードタイムが短い順、又は長い順に営業員が策定した顧客活動における活動計画及びその活動実績を抽出する分析処理を遂行する活動計画分析部と、を備えるように構成することができる。
【０１５２】
また、営業管理サーバ１１０は、営業案件の発掘率が高い顧客活動を分析することも可能である。例えば、営業員端末３００において入力された案件化前段階又は案件化後段階の営業活動における活動案件情報を含む活動案件情報登録要求を受信した場合に、活動情報登録要求に含まれる案件化前段階又は案件化後段階を特定する情報と関連付けられた活動案件情報を識別する活動ＩＤ（活動案件識別子）を含む活動案件登録情報を生成して活動案件情報ＤＢ１２０８（活動案件情報記憶部）に記憶する活動案件情報登録部１１０５を備えるように構成し、活動案件情報登録部１１０５が、営業員端末３００において入力された案件化後段階の営業活動（案件活動）における活動案件情報及び当該案件活動に対応する案件化前段階の営業活動（顧客活動、マーケット活動）の活動ＩＤを含む活動案件情報登録要求を受信し、案件活動を特定する情報と関連付けられた活動案件登録情報であって、当該案件活動に対応する案件化前段階の営業活動（顧客活動、マーケット活動）の活動ＩＤを含む活動案件情報を生成して活動案件情報ＤＢ１２０８に記憶するように構成する。
【０１５３】
そして、活動案件情報登録部１１０５によって活動案件登録情報が生成されて活動案件情報ＤＢ１２０８に記憶される際（活動情報登録要求を受信した際）、当該案件活動に対応する案件化前段階の営業活動の活動実績情報を活動ＩＤに基づいて抽出し、活動開始日から案件活動の活動案件情報が登録されるまでのリードタイムを算出したり、活動実績情報別の案件化数（営業案件として掘り起こされた数）をカウントする分析処理を遂行する活動計画分析部を備えるように構成することができる。
【０１５４】
また、活動案件情報登録部１１０５が、営業員端末３００において入力された活動ＩＤと案件活動における受注有無の結果情報とを含む受注結果登録要求を受信した場合に、案件活動の活動ＩＤに一致する活動案件登録情報に受注結果情報を関連付けて活動案件情報記憶部１２０８に記憶するように構成し、案件活動の活動ＩＤ別に活動計画ＤＢ１２０６及び活動実績ＤＢ１２０７を参照して受注有の案件活動情報に使用された活動計画情報、受注無の案件活動情報に関連付けられた活動計画情報を検索し、活動計画別の案件受注率を生成する活動計画分析部を、備えるように構成することができる。
【０１５５】
このとき、活動計画分析部は、活動案件情報ＤＢ１２０８に案件活動に対応する案件化前段階の営業活動（顧客活動、マーケット活動）の活動ＩＤが格納されているので、営業案件の受注に至った案件化前段階の営業活動を抽出することができ、受注に寄与する顧客活動又はマーケット活動を分析（例えば、受注率の最も高い案件活動の案件化前段階の営業活動の活動計画、活動実績を分析）する情報を生成し、出力することが可能となる。
【０１５６】
このように本実施形態の営業支援システムは、案件化前段階及び案件化後段階に区分した各営業活動を分析評価し、活動区分別に営業活動の成果が高い活動計画を出力したり、逆に、営業活動の成果が低い活動計画を出力する分析情報出力処理を遂行するので、案件化前段階及び案件化後段階の各々の営業活動のベストプラクティスを個別体系的に分析、評価することができ、さらには、案件化前段階の営業活動の結果に対して案件化後段階の最も受注に繋がり易い案件活動を分析し、活動体系間での繋がりのある営業活動を評価する分析情報を生成することができ、企業等の営業員が商品やサービスの受注に繋がる可能性のある案件を発掘し、案件の引き合いから受注までの営業活動を、営業案件の受注への寄与の観点から体系的に支援及び管理することも可能である。
【０１５７】
以上、本発明の営業支援システムを実施形態に則して説明したが、図１３から図２８に示した各画面例において、各画面に表示情報の選択例としてチェックボックスＣ１、Ｃ２を挙げて説明したが、これに限らず、表示情報自体（項目）を選択することも可能であり、営業員端末３００は、表示情報に対する選択によりアクティブ表示となっている項目の選択情報を営業管理サーバ１１０に送信するように構成することもできる。
【０１５８】
また、上述の営業員端末３００は、携帯電話機やＰＤＡ(Personal Digital Assistant)等の移動通信端末装置、パーソナルコンピュータなどの通信機能及び演算機能を備えた情報処理端末装置等が含まれ、本発明の営業支援システムが提供する各画面を表示する表示制御機能（例えば、ブラウザ）を備えることができる。また、営業員端末３００は、インターネット等のネットワークＮに限らず他の通信網、例えば、その他の無線通信網／有線通信網を介して本発明の営業支援システムと接続することも可能であり、専用回線網であってもよい。
【０１５９】
また、上述のサーバ装置、端末装置は、ハードウェア構成として上述以外にも、サーバ全体（各部）の制御を司るＣＰＵ、メモリ、マウス、キーボード、タッチパネル、スキャナー等の操作入力手段、プリンタ、スピーカなどの出力手段、補助記憶装置（ハードディスク等）等を備えることができる。
【０１６０】
また、本発明の営業支援システムは、１つ又は複数の異なるサーバ装置等で実現し、ネットワーク等の回線を介して接続したシステムとして構成することもでき、各処理部及び記憶部毎に分散されたシステム構成とすることも可能である。また、本発明の営業支援システムは、１つのコンピュータ等の情報処理装置で実現することも可能である。すなわち、営業管理サーバ１１０としての制御部とＤＢサーバ１２０としての記憶部とを含む１つの情報処理装置として構成した営業支援装置として実現することもできる。
【０１６１】
また、本発明の営業支援システム（営業支援の各処理）は、コンピュータで実行可能なプログラムとして実現することも可能であり、当該プログラムがインストールされたコンピュータは、本発明の処理を遂行する情報処理装置として動作することが可能である。例えば、不図示の補助記憶装置に当該プログラムが格納され、ＣＰＵ等の制御部が補助記憶装置に格納されたプログラムを主記憶装置に読み出し、主記憶装置に読み出された該プログラムを制御部が実行し、コンピュータに本発明の各部の処理を動作させることができる。
【０１６２】
また、上記プログラムは、コンピュータ読取可能な記録媒体に記録された状態で、コンピュータに提供することも可能である。コンピュータ読取可能な記録媒体としては、ＣＤ−ＲＯＭ等の光ディスク、ＤＶＤ−ＲＯＭ等の相変化型光ディスク、ＭＯ（Magnet Optical）やＭＤ(Mini Disk)などの光磁気ディスク、フロッピー（登録商標）ディスクやリムーバブルハードディスクなどの磁気ディスク、コンパクトフラッシュ（登録商標）、スマートメディア、SDメモリカード、メモリスティック等のメモリカードが挙げられる。また、本発明の目的のために特別に設計されて構成された集積回路（ICチップ等）等のハードウェア装置も記録媒体として含まれる。
【０１６３】
なお、本発明を好適な実施形態に則して説明したが、本発明の要旨から逸脱しない範囲内で当該技術分野の技術に照らし合わせて多様に変形することが可能である。したがって、本発明の技術的範囲は、上述の実施形態に限定されるものではなく、特許請求の範囲の記載及びこれと均等なものに基づいて定められるべきである。
【符号の説明】
【０１６４】
１００    営業支援システム
１１０    営業管理サーバ
１１１    通信制御部
１１０１  ＣＰＵ（制御部）
１１０２  活動計画テンプレート登録部
１１０３  活動計画登録部
１１０４  活動実績登録部
１１０５  活動案件情報登録部
１１０６  活動計画／活動実績出力部
１１０７  営業管理制御部
１１０８  活動計画テンプレート分析部
１２０    データベースサーバ（ＤＢサーバ）
１２０１  顧客情報マスタデータベース
１２０２  営業員情報データベース
１２０３  活動分類マスタデータベース
１２０４  活動計画テンプレート情報データベース
１２０５  活動計画テンプレート明細情報データベース
１２０６  活動計画データベース
１２０７  活動実績データベース
１２０８  活動案件情報データベース
１２０９  画面情報データベース
２００    営業管理者端末
３００    営業員端末
【図１】
2011096209.tif 000003
【図２】
2011096209.tif 000004
【図３】
2011096209.tif 000005
【図４】
2011096209.tif 000006
【図５】
2011096209.tif 000007
【図６】
2011096209.tif 000008
【図７】
2011096209.tif 000009
【図８】
2011096209.tif 000010
【図９】
2011096209.tif 000011
【図１０】
2011096209.tif 000012
【図１１】
2011096209.tif 000013
【図１２】
2011096209.tif 000014
【図１３】
2011096209.tif 000015
【図１４】
2011096209.tif 000016
【図１５】
2011096209.tif 000017
【図１６】
2011096209.tif 000018
【図１７】
2011096209.tif 000019
【図１８】
2011096209.tif 000020
【図１９】
2011096209.tif 000021
【図２０】
2011096209.tif 000022
【図２１】
2011096209.tif 000023
【図２２】
2011096209.tif 000024
【図２３】
2011096209.tif 000025
【図２４】
2011096209.tif 000026
【図２５】
2011096209.tif 000027
【図２６】
2011096209.tif 000028
【図２７】
2011096209.tif 000029
【図２８】
2011096209.tif 000030